(57)【特許請求の範囲】
【請求項１】
前枠と、前記前枠の前面側に開閉可能に取り付けられたガラス扉と、遊技釘および入賞具を有して所定の遊技領域が形成され前記遊技領域が前記ガラス扉に臨むように配設される遊技盤とを備え、遊技球を前記遊技領域に打ち出して遊技を行う遊技機において、
前記前枠または前記前枠の裏側に配設される裏機構部材に固定された固定ヒンジ部材と、
一端に前記固定ヒンジ部材と相対揺動可能に連結するヒンジ係合部が形成され他端に前記遊技盤と嵌脱可能に係合する遊技盤係合部が形成された揺動ヒンジ部材と、
前記ヒンジ係合部が前記固定ヒンジ部材に連結され前記遊技盤係合部に前記遊技盤が嵌合接続されて前記遊技盤が開閉可能に取り付けられた状態における前記遊技盤の開閉方向に前記前枠または前記裏機構部材に配設されて、前記遊技盤を開いた状態で当該遊技盤を仮支持可能な遊技盤仮受け部材とを備え、
前記遊技盤を前記遊技盤仮受け部材に仮支持させた状態で前記遊技盤と前記遊技盤係合部とを嵌脱可能に構成した
ことを特徴とする遊技機の遊技盤着脱補助機構。
【請求項２】
前記揺動ヒンジ部材に、前記揺動ヒンジ部材と前記固定ヒンジ部材とが連結された状態において前記揺動ヒンジ部材を前記固定ヒンジ部材に対して所定の開放角度まで揺動したときに前記固定ヒンジ部材と係合して前記揺動ヒンジ部材の角度位置を規定する角度規定部を設け、
前記所定の開放角度は、前記遊技盤係合部に嵌合接続された前記遊技盤が前記揺動ヒンジ部材とともに当該開放角度に開放された状態において、前記遊技盤が前記遊技盤仮受け部材に仮支持される角度位置であることを特徴とする請求項１に記載の遊技機の遊技盤着脱補助機構。
【請求項３】
前記前枠は、遊技島に固定される外枠に揺動開閉可能に取り付けられるとともに、前記外枠に対して前記前枠を開放した開放状態に保持させる前枠開放保持機構を備えたことを特徴とする請求項１または請求項２に記載の遊技機の遊技盤着脱補助機構。
【請求項４】
前記前枠に対して前記裏機構部材を開放した開放状態に保持させる裏機構部材開放保持機構を備えたことを特徴とする請求項１から請求項３のいずれか一項に記載の遊技機の遊技盤着脱補助機構。
【請求項５】
前記固定ヒンジ部材は前記前枠に固定され、
前記固定ヒンジ部材に、前記裏機構部材に設けられた裏セット盤揺動ヒンジ部材と連結して前記裏機構部材を相対揺動可能に支持する支持構造が設けられることを特徴とする請求項１から請求項４のいずれか一項に記載の遊技機の遊技盤着脱補助機構。
【発明の詳細な説明】
【０００１】
【発明の属する技術分野】
本発明は、遊技釘および入賞具を有して所定の遊技領域が形成され、この遊技領域が遊技機前面のガラス扉に臨むように配設される遊技盤を備え、遊技球を遊技領域に打ち出して遊技を行う遊技機に関し、さらに詳細にはこのような遊技機において遊技盤の着脱作業を容易化する遊技盤の着脱機構に関する。
【０００２】
【従来の技術】
上記のような遊技機としてパチンコ機、アレンジボール機、いわゆる雀球遊技機などがある。この種の遊技機の代表例として例示されるパチンコ機では、案内レールで囲まれた遊技領域内に多数本の遊技釘や風車、種々の入賞具等が所定のゲージ設定で配設された遊技盤を有し、この遊技盤の遊技領域に打球発射装置から遊技球を打ち出して入賞具に落入させ入賞条件に応じた賞球の払出を受けることで、その賞球の増減を通して遊技を展開するように構成されている。
【０００３】
遊技盤は、上下の球皿や打球発射装置の操作ハンドルなどが設けられた前枠の前面側もしくは後面側、または、遊技球を貯留するタンク部材や球払出装置などの賞球機構が設けられて前枠の裏側に配設される裏機構部材の前面側に取り付けられ、前枠の前面側に横開き開閉可能に取り付けられたガラス扉を通して遊技領域を遊技者に臨ませるように構成される。
【０００４】
ここで、遊技盤の取付構造は、機種変更時における組み立て工程の対応の迅速化や遊技施設における遊技盤の交換作業容易化等のため着脱交換可能に構成することが望ましい。そして、遊技盤の着脱交換に当たっては遊技盤側の構成部材と前枠側の構成部材との位置関係を一定の位置精度内に維持させる構成が好ましい。このため、例えば、遊技盤を前枠の裏面側から着脱させる形態（本明細書において便宜的に「前枠後方着脱形態」という）の遊技機にあっては、前枠の裏面側に遊技盤の基板となる化粧板の外形寸法よりもわずかに（例えば巾方向に１mm程度）大きめな枠寸法を有する額縁状の収容枠を形成するとともに、収容枠には前方の支持面から裏面方向に向けて突出する位置決めピンを設け、化粧板には位置決めピンと嵌脱自在に係合する位置決め孔を形成して、これらを嵌合させることで遊技盤の着脱交換に拘わらず相互の位置関係が一定となるように構成している。収容枠にはこのようにして枠内に収容された遊技盤を固定保持する閉鎖クランプが設けられており、作業者がこの閉鎖クランプを操作することで遊技盤が収容枠に固定保持される。
【０００５】
【発明が解決しようとする課題】
上記のような従来の遊技盤取付構造では、作業者が遊技盤を着脱する際に、収容枠と化粧板とのわずかな隙間を利用して遊技盤をはめ込みあるいは引き出し操作せざるを得ない。ところが、遊技盤は大きさが概ね縦４７０mm×横４２０mm程度、質量が３〜５kg程度あり、その前面側には多数本の遊技釘が突出している。このため、遊技盤を装着するときには遊技盤に前方視界が遮られて収容枠の位置を正確に認識しにくく、わずかな隙間を利用して大型かつ重量のある遊技盤を装着する作業は熟練した作業者にとっても煩雑かつ重労働であるという問題があった。
【０００６】
また、遊技盤を取り外すときには、閉鎖クランプによる係止を解除して収容枠から遊技盤を手前に引き抜く作業を行うが、遊技盤の位置決め孔が収容枠側の位置決めピンに嵌合した状態にあり、大型かつ重量のある遊技盤を片手で支持しながら嵌合状態を解除させなければならないという問題があった。また遊技機によっては遊技盤前面のセルが収容枠の前方支持面に張り付いた状態となっている場合もあり、このような嵌合状態や張り付き状態を解除させて遊技盤を取り外す作業中に、遊技盤が収容枠から急に滑り出て遊技盤を落下させるおそれがあるという問題もあった。とくに、遊技機を遊技施設に設置した後の盤面交換作業は遊技盤の着脱を習熟していない作業者が行うことが多く、熟練作業者でなくても容易に遊技盤の着脱交換を行うことができる遊技機が求められていた。
【０００７】
一方、上記のような問題に対処するため、前枠側に固定ヒンジ部材を固定し、遊技盤側に固定ヒンジ部材と係脱可能に係合して係合状態で相対揺動可能な揺動ヒンジ部材を固定して、これらのヒンジ部材を連結させて遊技盤を横開き開閉可能に取り付ける開閉手段を考案することができる。しかしながら、このような開閉手段では、個々の遊技盤ごとに揺動ヒンジ部材を固定配設する必要があるため遊技盤の製作コストが増大するうえ、このような揺動ヒンジ部材は一般に遊技盤から側方に突出して配設されるため、遊技盤単体の取扱時に誤って揺動ヒンジ部材をぶつけて変形させてしまうおそれがあり遊技盤の取扱が煩雑になるという課題があった。
【０００８】
本発明は、上記のような問題や課題に鑑みて成されたものであり、遊技盤の取扱を煩雑化させることなくその着脱作業を容易化して作業性を向上させた遊技機を提供することを目的とする。
【０００９】
【課題を解決するための手段】
上記目的を達成するため、本発明は、前枠の前面側に開閉可能に取り付けられたガラス扉と、遊技釘および入賞具を有して所定のゲージ設定に形成された遊技領域がガラス扉に臨むように配設される遊技盤とを備え、遊技球を遊技領域に打ち出して遊技を行う遊技機に関するものである。そのうえで、本発明の遊技機では、前枠または前枠の裏側に配設される裏機構部材（例えば実施形態における裏セット盤３０）に固定された固定ヒンジ部材と、一端に固定ヒンジ部材と相対揺動可能に連結するヒンジ係合部が形成され他端に遊技盤と嵌脱可能に係合する遊技盤係合部が形成された揺動ヒンジ部材とを備えて、ヒンジ係合部が固定ヒンジ部材に連結され遊技盤係合部に遊技盤が嵌合接続されて遊技盤が開閉可能に取り付けられる（以下、この機構を遊技盤の「開閉着脱機構」という）とともに、遊技盤の開閉方向には前枠または裏機構部材に配設されて遊技盤を開いた状態で当該遊技盤を仮支持可能な遊技盤仮受け部材が設けられ（以下、この機構を遊技盤の「仮支持機構」という）、遊技盤を遊技盤仮受け部材に仮支持させた状態で遊技盤と遊技盤係合部とを嵌脱可能に構成されて、これら両機構で遊技盤着脱補助機構が構成される。
【００１０】
このような構成の遊技盤着脱補助機構では、揺動ヒンジ部材のヒンジ係合部が固定ヒンジ部材に連結され、同部材の遊技盤係合部に遊技盤が嵌合接続されることで遊技盤の開閉着脱機構が構成され、遊技盤が前枠または裏機構部材の所定位置に開閉可能に取り付けられる。このため、遊技盤の脱着作業を行う作業者はこの揺動ヒンジ部材と固定ヒンジ部材とで構成される開閉機構を利用して遊技盤の開閉を行うことができ、作業を行いやすい角度位置まで遊技盤を開放させた状態で作業に適宜な位置を把持して遊技盤の着脱を行うことができる。またこのような開閉機構により作業中に遊技盤が急に滑り出て落下させてしまうようなことがなく、熟練作業者でなくとも容易に盤面交換を行うことができる。
【００１１】
また、上記のような開閉着脱機構では、揺動ヒンジ部材の他端側に遊技盤係合部が形成されており、この遊技盤係合部に遊技盤が嵌脱可能に係合する。このため、揺動ヒンジ部材を固定ヒンジ部材に係合連結させておくことで、個々の遊技盤に揺動ヒンジ部材を配設する必要がなく、遊技盤の製作コストや盤面交換時の必要コストを低減可能であるとともに、遊技盤単体の取扱時に誤って揺動ヒンジ部材をぶつけて変形させてしまうようなことがない。
【００１２】
さらに、本構成の遊技盤着脱補助機構では、上記開閉着脱機構に加えて、開閉着脱機構による遊技盤の開閉方向に配設されて遊技盤を開いたときに当該遊技盤を仮支持可能な遊技盤仮受け部材を備えた仮支持機構を備え、遊技盤を遊技盤仮受け部材に仮支持させた状態で遊技盤と遊技盤係合部とを嵌脱可能に構成されている。このため、遊技盤を装着しようとする作業者は、遊技盤を一旦この遊技盤仮受け部材に仮支持させた状態で細かい位置合わせを行うことができ、その仮支持状態で遊技盤を揺動ヒンジ部材の遊技盤係合部に嵌合接続することで容易に遊技盤を装着させることができる。また遊技盤を取り外す際に、後方に引きだして開いた遊技盤を一旦遊技盤仮受け部材に支持させることで、無理な姿勢をとることなく搬出に適宜な位置に持ち替えて両手で遊技盤を取り外すことができる。
なお、揺動ヒンジ部材に、揺動ヒンジ部材と固定ヒンジ部材とが連結された状態において揺動ヒンジ部材を固定ヒンジ部材に対して所定の開放角度まで揺動したときに固定ヒンジ部材と係合して揺動ヒンジ部材の角度位置を規定する角度規定部を設け、上記所定の開放角度は、遊技盤係合部に嵌合接続された遊技盤が揺動ヒンジ部材とともに当該開放角度に開放された状態において、遊技盤が遊技盤仮受け部材に仮支持される角度位置であることが好ましい。
本発明において、前枠が遊技島に固定される外枠に揺動開閉可能に取り付けられるとともに、外枠に対して前枠を開放した開放状態に保持させる前枠開放保持機構を備えることが好ましい。
また本発明において、裏機構部材が前枠に揺動開閉可能に取り付けられるとともに、前枠に対して裏機構部材を開放した開放状態に保持させる裏機構部材開放保持機構を備えることが好ましく、固定ヒンジ部材が前枠に固定され、この固定部材に裏機構部材に設けられた裏セット盤揺動ヒンジ部材と連結して裏機構部材を相対揺動可能に支持する支持構造が設けられることが好ましい。
【００１３】
従って、このような遊技盤着脱補助機構を備えた遊技機によれば、熟練作業者でなくとも容易に遊技盤の着脱作業を行うことができ、作業性を向上させた遊技機を提供することができる。
【００１４】
【発明の実施の形態】
以下、本発明の好ましい実施形態について図面を参照しながら説明する。本発明に係る遊技盤着脱補助機構を備えた遊技機の代表例として、遊技盤を前枠の裏面側から着脱する前枠後方着脱形態のパチンコ機ＰＭを図１〜図３に例示しており、まず、これらの図面を参照しながらパチンコ機ＰＭの全体構成について要約説明する。ここで、図１はパチンコ機ＰＭを正面側から見た正面図、図２はパチンコ機ＰＭを裏面側から見た背面図、図３は裏セット盤を取り外した状態の前枠の背面図である。なお、図２および図３では遊技盤の裏面中央部の記載を省略している。
【００１５】
パチンコ機ＰＭは、外郭方形枠サイズに構成されて縦向きの固定保持枠をなす外枠１の開口前面に、これに合わせた方形枠サイズに構成されて開閉搭載枠をなす前枠２が互いの左側縁に配設された上下のヒンジ機構３ａ，３ｂにより横開き開閉および着脱が可能に取り付けられ、常には右側縁に設けられた施錠装置４を利用して外枠１に閉鎖施錠された状態で保持される。
【００１６】
前枠２の正面側には、前枠２の前面域に合わせた方形状をなし中央部に取り付けられたポリカーボネート板やガラス板等の透明板材を通して遊技盤２０を透視可能なガラス扉５、および球皿に貯留された遊技球を整列させて１個ずつ打球発射装置９に導く上球皿６が、ともに左側縁に内蔵されたヒンジ機構により横開き開閉および着脱が可能に組付けられ、常には施錠装置４および図示省略するロック機構を利用して前枠２の前面を覆う閉止状態で保持される。前枠２の下部には遊技球を貯留する下球皿７設けられ、この下球皿７と並んで遊技球の発射操作を行う操作ハンドル８が取り付けられている。
【００１７】
前枠２の上部には、遊技盤２０を収容保持する収容枠１１が形成されている。収容枠１１は、前枠２から裏面方向に立設された壁面構成の左右ならびに下方の枠部と、これらの枠部の前方に額縁状に形成された前方支持部（図３では点線で示す）とを有して前枠２と一体に成形される。収容枠１１における左右枠部の内面寸法は遊技盤２０の幅寸法よりも１〜２mm程度大きく形成され、前方支持部の上下所定位置に支持面から裏面方向に突出し先端部がテーパ状に形成された位置決めピン１１ｐ，１１ｐが突出成形されている。収容枠１１の右側部には、遊技盤２０および裏セット盤３０をそれぞれ横開き開閉並びに着脱可能に支持する固定ヒンジ部材１２，１３が上下に所定間隔をおいてねじ固定されるとともに、収容枠１１の周囲各部には収容枠に収容した遊技盤２０を固定する閉鎖クランプ１４（１４ａ，１４ｂ，１４ｃ）が回動操作可能に取り付けられている。
【００１８】
遊技盤２０は板厚１９mm程度の積層合板を図示する所定形状に切断およびルーター加工して、その表面に所定意匠のセルを貼り付けた化粧板（ベニヤとも称される）２１を基板として構成される。化粧板２１の前面側には、帯状の外レール２４ａおよび内レール２４ｂが円弧状に固設され、これらの案内レール２４ａ，２４ｂで囲まれた内側に遊技領域ＰＡが区画される。遊技領域ＰＡには、多数本の遊技釘とともにランプ風車２５ａや一般風車２５ｂ等の風車２５、一般入賞具２６ａや始動入賞具２６ｂ並びに大入賞口を備えたアタッカー２６ｃ等の入賞具２６、および遊技の進行状況に応じて所定の図柄を表示させる図柄表示装置２８などが取り付けられ、遊技領域ＰＡの下端には入賞具２６に入賞せずに落下した遊技球を遊技盤２０の裏面側に排出させるアウト口２７が設けられている。
【００１９】
化粧板２１の所定位置には、収容枠１１の前方支持部に突出成形された位置決めピン１１ｐ，１１ｐと嵌脱可能な位置決め孔２１ｐ，２１ｐが穿設されており、遊技盤２０を収容枠１１に収容させたときに位置決めピン１１ｐ，１１ｐと位置決め孔２１ｐ，２１ｐとが嵌合して遊技盤２０の位置決めがなされ、閉鎖クランプ１４を回動操作して遊技盤を固定することで、遊技盤２０が前枠２に対して一定の位置関係にセット保持される。
【００２０】
前枠２の裏面下部には、遊技球を外レール２４ａに向けて発射する打球発射装置９、および操作ハンドル８の回動操作を受けて打球発射装置９の作動を制御する発射装置制御基板Ｂ２が取り付けられる。前枠２におけるこれらの装置９および基板Ｂ２と収容枠１１との間の上下中間領域には、遊技補助盤１５と称される補助機構部が形成され、その前面側に打球発射装置９によって打ち出された遊技球を外レール２４ａに向けて案内する発射レールや、遊技領域ＰＡに到達できずに打球発射装置９側に戻ってきたファール球を下球皿７に排出させるファール球回収経路部材、遊技の展開状況に応じた効果音を発生させるスピーカなどが取り付けられている。遊技補助盤１５は上球皿６の背後に位置しており、常には閉鎖保持される上球皿６によりその前面側が覆われている。
【００２１】
前枠２の背後に位置して、裏セット盤（裏機構盤とも称される）３０が取り付けられる。裏セット盤３０は、外枠１の内寸サイズよりも幾分小さめの方形状をなし中央に表裏貫通する窓口３１ｗを有して一体成形された基枠体３１をベースとして構成される。基枠体３１の側縁部には上下に所定間隔をおいて裏セット盤揺動ヒンジ部材３２，３３が固定されており、この上下の裏セット盤揺動ヒンジ部材３２，３３を収容枠１１側の上下の固定ヒンジ部材１２，１３に係合させて揺動させあるいは係脱させることで、裏セット盤３０が前枠２の背後に横開き開閉および着脱可能に装備され、常には３カ所の閉鎖レバー３４を利用して前枠２の背面を覆うように閉鎖保持される。
【００２２】
裏セット盤３０には、窓口３１ｗを取り囲むようにして賞球を払い出すための賞球装置や遊技球の処理経路が設けられる。すなわち、基枠体３１の裏面側には、遊技球の貯留・供給を行うタンク部材３５、タンク部材３５から供給される遊技球を整列させて流下させる整列樋部材３６、整列樋部材から供給される遊技球を受けて所定数量の遊技球を待機保持させる賞球待機通路３７、賞球待機通路３７に待機された遊技球を所定の入賞条件等に基づいて払い出す球払出装置３８、球払出装置３８から払い出された遊技球を上下の球皿６，７に導く賞球払出経路３９などの賞球装置よび賞球経路が設けられている。また、基枠体３１の前面側には、窓口３１ｗの下方に位置して遊技盤２０の裏面側に排出されたアウト球およびセーフ球、球抜き機構によって賞球経路３７の途上から排出された抜き球等を集合させる集合経路が形成され、基枠体３１の裏面側には集合経路と繋がって集合された遊技球を遊技施設側の回収バケットに排出させる球排出経路が形成されている。
【００２３】
また、裏セット盤３０の裏面各部には、パチンコ機ＰＭの作動を統括的に制御するメイン基板Ｂ１や、メイン基板Ｂ１からの指令信号に基づいて球払出装置の作動制御を行う球払出基板Ｂ３、効果照明や効果音の作動制御を行うランプ・音声制御基板Ｂ４、これらの制御基板や各種電子機器等に電力を供給する電源基板Ｂ５などの回路基板が着脱交換可能に取り付けられ、各回路基板や電子機器が図示しないワイヤーハーネスで接続されてパチンコ機ＰＭが構成される。
【００２４】
パチンコ機ＰＭは、ガラス扉５、上球皿６、裏セット盤３０等がそれぞれ閉鎖され、前枠２が外枠１に閉鎖施錠された状態で遊技に供される。遊技は上球皿６に遊技球を貯留させて操作ハンドル８を回動操作することにより開始され、上球皿６に貯留された遊技球が１球ずつ打球発射装置９に送られ操作ハンドル８の回動操作角度に応じた強度で遊技領域ＰＡに打ち出されてパチンコゲームが展開される。
【００２５】
このように概要構成されるパチンコ機ＰＭにあって、機体の上部には図４および図５に示すように、外枠１に対して前枠２を開放状態に保持させる前枠開放保持機構１５０と、開放された前枠２に対して裏セット盤３０を開放保持させる裏セット盤開放保持機構１６０とが設けられている。
【００２６】
ここで、図４は、前枠開放保持機構１５０により外枠１に対して前枠２を開放状態に保持させ、裏セット盤開放保持機構１６０により前枠２に対して裏セット盤３０を開放保持させた状態の平面図を示し、図５は前枠開放保持機構１５０により開放保持された前枠２の上部背面図を示している。なお、以降では前枠２を背面側から見た構成を主として説明するため、説明の便宜上、図３における左右方向を左方または右方と称し、紙面直交方向の向こう側（パチンコ機ＰＭの前面側）を前方、手前側（同裏面側）を後方と称して説明する。
【００２７】
前枠開放保持機構１５０は、基端部が外枠１に水平面内に揺動可能に取り付けられた前枠開放保持部材１５１と、前枠２における収容枠１１の上方に取り付けられた係合部材１５５とからなり、前枠２を開放させて前枠開放保持部材１５１の先端部を係合部材１５５に係合させることで、外枠１に対して前枠２を開放状態に保持させる。
【００２８】
前枠開放保持部材１５１は、例えば、所定線径のみがき鋼棒の両端に旋削や転造等によりねじ部を形成し、基端側および先端側を図示するクランク状の形状に曲げ加工し、必要に応じて所要の表面処理を施すとともに、両側の所定位置にワッシャ１５２（１５２ａ，１５２ｂ）をカシメ締結し、あるいはスナップリング等を嵌着固定して構成する。前枠開放保持部材１５１は、基端側の揺動端部１５１ａを外枠１に穿設された取付孔に外枠下面側から挿入し、外枠１の上面に設けられたザグリ穴側の上方から座金を介してナット１５３ａを締め付けることで、この取付穴の軸まわりに水平旋回可能に取り付けられる。なお、必要に応じてナット１５３ａまたはねじ部に緩み止め処理を施し、あるいは穴深さに応じた長さのカラー等を嵌挿してナット１５３ａを締め付けることにより、ナット１５３ａの緩みを防止して前枠開放保持部材１５１を常時滑らかに揺動させることができる。また、前枠開放保持部材の先端側の係合端部１５１ｂにはナット１５３ｂが螺合されている。
【００２９】
係合部材１５５には前枠開放保持部材の係合端部１５１ｂを受容可能な凹状の係合部１５５ａ，１５５ｂが形成されており、例えば、ＡＢＳ樹脂等の樹脂材料を用いて射出成形等の成形手段で図示する形状に構成し、あるいは金属材料を用いて鋳物やダイキャスト、板金部材の溶接構造等により図示する形状に構成する。係合部材１５５は前枠開放保持部材の係合端部１５１ｂを係合させたときに、前枠２と外枠１とがなす開き角が所定の２段階の開放保持角となるように、係合部が２カ所に形成されており、収容枠１１上方の所定位置にねじ止めされる。
【００３０】
ここで、上記２段階の開放保持角は、例えば、係合端部１５１ｂを一方の係合部１５５ａに係止させたときに前枠２の開き角が９０度となり、他方の係合部１５５ｂに係止させたときの開き角が、遊技島ＳＢの配設ピッチや隣り合うパチンコ機との位置関係から開放可能な最大の開き角（例えば１００度）となるように設定される。これにより作業者は係合端部１５１ｂを上記いずれかの係合部１５５ａ，１５５ｂに係合させることで、所望の開放角度で前枠２を開放保持させることができる。なお、係合部１５５ａ，１５５ｂの配設高さは遊技盤２０の上面や裏セット盤３０の上面よりも上方に設定されており、前枠開放保持部材１５１を用いて前枠２を開放保持させた状態でも、遊技盤２０や裏セット盤３０を自由に開放・閉鎖しあるいは着脱交換できるように構成されている。
【００３１】
外枠１の上面部材の内側には、前枠開放保持部材１５１を格納したときに前枠開放保持部材１５１の先端部を掛支して収容保持する掛支部材１５８が設けられている（図では外枠１の上面に取り付けられた掛支部材１５８をその取付面側から見た状態を示している）。このため、作業を終了した作業者が、前枠開放保持部材１５１を揺動させて係合端部１５１ｂ側を掛支部材１５８に掛支させることで、前枠開放保持部材１５１を格納姿勢に収容保持させることができ、この格納姿勢を保持させて前枠２を閉鎖することができる。
【００３２】
一方、裏セット盤開放保持機構１６０は、正面視における外枠１の右側面部材の内側に揺動可能に枢結された裏セット盤開放保持部材１６１を主体として構成される。裏セット盤開放保持部材１６１は、図４中に部分拡大図を示すように、略円筒状に形成された基端部１６１ａとこの基端部から延びて先端がフック状に形成された係止部１６１ｂとからなり、例えばＡＢＳ樹脂等の樹脂材料を用いて射出成形等の成形手段により一体成形される。
【００３３】
裏セット盤開放保持部材１６１は、その基端部１６１ａが、正面視における外枠１の右側面部材の内側にリベット等の締結手段により垂直面内に回動可能に枢結され、この開放保持部材１６１を回動させることで先端の係止部１６１ｂを外枠１の前面側に突出させ、あるいは外枠１の内側に収容させることができる。先端の係止部１６１ｂはフック状に形成されており、この係止部１６１ｂを外枠１の前方に突出させたときに、裏セット盤３０のタンク部材３５の後方壁面をこの係止部１６１ｂと外枠１の前端面との間に挟持するようにして係止保持可能に構成されている。
【００３４】
このため、開放保持部材１６１を回動させて先端の係止部１６１ｂを外枠１の前面側に突出させ、開放させた裏セット盤３０のタンク部材３５に係止部１６１ｂを係合させることで裏セット盤３０を開放状態に保持させることができ、また開放保持部材１６１を回動させて先端の係止部１６１ｂを下方（または上方）に位置させることで、裏セット盤開放保持部材１６１を外枠１の内側に収容して裏セット盤３０および前枠２を閉鎖することができる。
【００３５】
従って、上記のように構成される前枠開放保持機構１５０および裏セット盤開放保持機構１６０によれば、前枠２を開放して前枠開放保持部材１５１を揺動展開し先端の係合端部１５１ｂを左右いずれかの係合部１５５ａ，１５５ｂに係合させることで、前枠２を所望の開放角度位置に保持させることができ、またこのように前枠２を開放させた状態で裏セット盤３０を後方に開き、開放保持部材の係止部１６１ｂをタンク部材３５に係合させることで、裏セット盤３０を開放状態に保持させることができる。これにより、前枠２の裏面側に広い作業スペースを確保することができ、遊技盤２０の着脱作業等を容易に行うことができるようになる。
【００３６】
なお、前枠開放保持機構１５０により前枠２が開放保持された状態において、係合端部１５１ｂに螺合されたナット１５３ｂを締め付けることにより、前枠２を開放状態に固定することも可能である。これにより、例えば遊技盤２０の着脱交換時に作業者が誤って遊技盤２０の上端部を前枠開放保持部材１５１に当接させ、係合端部１５１ｂと係合部（１５５ａまたは１５５ｂ）との係合を解除するような外力が作用しても、ナット１５３ｂの締結力により係合が解除されることがなく、前枠２の開放状態を強固に維持させることができる。
【００３７】
さて、このようにして開放状態が保持される前枠２における収容枠１１の右側部に、収容枠１１に対して遊技盤２０を開閉および着脱可能に支持する開閉着脱機構４０が設けられ、また収容枠１１の下方に位置する遊技補助盤１５に、遊技盤２０を開いた状態で仮支持可能な仮支持機構５０，６０，７０，８０，９０が設けられる。以降、これらの各機構について、まず開閉着脱機構４０の構成から説明する。
【００３８】
図６〜図１１に開閉着脱機構４０の具体的構成例を示す。ここで、図６は開閉着脱機構４０を右斜め後方から見た分解斜視図、図７は嵌合接続前の上方の開閉着脱機構の背面図、図８および図９はそれぞれ嵌合接続状態にある上方および下方の開閉着脱機構の背面図、図１０は図８中のX矢視方向に見た上方の開閉着脱機構の平断面図、図１１および図１２はそれぞれ嵌合接続前の上方および下方の開閉着脱機構の平面図（平断面図）である。
【００３９】
遊技盤の開閉着脱機構４０は、遊技盤２０の上方に配設される開閉着脱機構（以下、「上部開閉機構」という）４０Ａと、この上部開閉機構から所定間隔をおいて配設される下方の開閉着脱機構（以下、「下部開閉機構」という）４０Ｂとからなり、これら上下一対の開閉機構をもって構成される。
【００４０】
上部開閉機構４０Ａおよび下部開閉機構４０Ｂは、それぞれ収容枠１１の上下にねじ固定されて裏セット盤３０を横開き開閉および着脱可能に支持する上下の固定ヒンジ部材１２，１３をベース部材として共用し、この固定ヒンジ部材１２，１３と遊技盤２０（化粧板２１）との間に、一端に固定ヒンジ部材と相対揺動可能に連結するヒンジ係合部が形成され、他端に遊技盤と嵌脱可能に係合する遊技盤係合部が形成された揺動ヒンジ部材４２，４３を配設することで、遊技盤２０を横開き開閉可能かつ揺動ヒンジ部材から切り離して遊技盤単体で着脱することができる開閉着脱機構を構成するものである。
【００４１】
なお、遊技盤２０の支持形態としては、図８に示すように化粧板２１の右または左の側縁部を支持する側縁支持形態と、図９に示すように化粧板２１の下縁部または上縁部を支持する上下縁支持形態とがあり、上下の機構をともに同一の支持形態の開閉機構で構成することもできるが、本実施形態では異なる支持形態の開閉機構を端的に例示するため、第１実施例の側縁支持形態の開閉機構を上部開閉機構４０Ａとして示し、第２実施例の上下縁支持形態の開閉機構を下部開閉機構４０Ｂとして示している。以下、上部開閉機構４０Ａの構成から順に説明する。
【００４２】
上部開閉機構４０Ａは、その構成を図６〜図８に示すように、収容枠１１の上部にねじ固定される固定ヒンジ部材１２と、一端が固定ヒンジ部材１２に相対揺動可能に連結され他端が化粧板２１と嵌脱可能に係合する揺動ヒンジ部材４２とを主体とし、固定ヒンジ部材１２と揺動ヒンジ部材４２とがボルト４４ａ、ナット４４ｂ、およびワッシャ４４ｃを用いて相対揺動可能に連結される形態を例示する。化粧板２１には揺動ヒンジ部材４２と嵌合する揺動ヒンジ係合部２２が形成されている。
【００４３】
固定ヒンジ部材１２は、収容枠１１にねじ固定されるベース部１２ａと、このベース部１２ａの下部が左右に切り離されて各下端部が異なる高さ位置で折り曲げられて後方に突出する第１支持部１２ｂおよび第２支持部１２ｃ、第１支持部１２ｂに円孔状に穿設された支軸孔１２ｄ、第２支持部１２ｃに上方に突出して固着された裏セットヒンジピン１２ｅなどの各部で構成される。ここで、第２支持部１２ｃおよび裏セットヒンジピン１２ｅは、裏セット盤揺動ヒンジ部材３２を揺動可能に支持して裏セット盤３０を着脱および横開き開閉可能に支持する支持構造であり、遊技盤２０の開閉着脱機構と裏セット盤３０の開閉着脱機構とが共通の固定ヒンジ部材１２を用いて構成されている。固定ヒンジ部材１２は、所定板厚の冷間圧延鋼板やステンレス鋼板等を用いてパンチングやプレス成形等の公知の加工手段により図示する形状に成型され、裏セットヒンジピン１２ｅをカシメ圧着させたのち、必要に応じて所要の表面処理を行って形成される。
【００４４】
揺動ヒンジ部材４２は、平面視において略Ｌ字状に形成された板状のアーム部４２ｂと、このアーム部４２ｂの基端側に穿設された円孔状のヒンジ係合孔４２ｄと、アーム部４２ｂの先端側に曲げ成形された遊技盤係合部（挟持係合部４２ｆ，弾性係合片４２ｇ）とからなり、上記固定ヒンジ部材１２と同様の金属材料を用いて同様の加工手段で形成される。
【００４５】
アーム部４２ｂの基端側に形成されるヒンジ係合孔４２ｄ、および第１支持部１２ｂに形成される支軸孔１２ｄは、ともにボルト４４ａのねじ外径よりも幾分大きめな内径を有して形成されており、支軸孔１２ｄの上部にワッシャ４４ｃを挟んで揺動ヒンジ部材４２を載置し、その上方からヒンジ係合孔４２ｄ、ワッシャ４４ｃ、支軸孔１２ｄを通してボルト４４ａを挿通し、ボルト先端にナット４４ｂを螺合させることで、揺動ヒンジ部材４２が揺動可能に固定ヒンジ部材１２に連結され、かつ任意の揺動角度位置で係止保持可能に支持される。
【００４６】
ここで、ワッシャ４４ｃは、第１支持部１２ｂとアーム部４２ｂの基端部との間に挟持させることで、第１支持部１２ｂとアーム部４２ｂとの摺動面積を低減させ、揺動開閉時の摩擦抵抗を低減させるために挿入しており、ボルト・ナット４４ａ，４４ｂの締結を弱めた状態で揺動ヒンジ部材４２が滑らかに揺動されるようになっている。なお、ボルト４４ａを溶接やカシメ等の手段により揺動ヒンジ部材４２に下向きに固着し、あるいは固定ヒンジ部材１２に上向きに固着するように構成してもよい。
【００４７】
アーム部４２ｂの先端側に形成される遊技盤係合部は、前後方向に延びるアーム部４２ｂの先端側が上下に屈曲成形されて側面視下方に開く凹状の挟持係合部４２ｆと、挟持係合部４２ｆの左端縁部から上方に曲げ起こされて側端面を成すとともにその上部がさらに右斜め上方に折り返されて背面視Ｕ字形態の板バネ状に形成された弾性係合片４２ｇとからなる。挟持係合部４２ｆの前後方向寸法は、その外形寸法が化粧板２１の板厚と同一または幾分小さめに設定され、弾性係合片４２ｇは挟持係合部４２ｆの前後方向寸法内に収められている。
【００４８】
一方、化粧板２１の揺動ヒンジ係合部２２には、挟持係合部４２ｆと係合する被挟持部２２ｆ、および弾性係合片４２ｇを受容して係合する受容係合口２２ｇがルータ加工により形成されている。揺動ヒンジ係合部２２は、揺動ヒンジ部材４２が固定ヒンジ部材１２に取り付けられ、遊技盤２０が揺動ヒンジ部材４２に嵌合接続されて収容枠１１に収容保持されたときの挟持係合部４２ｆおよび弾性係合片４２ｇの位置およびこれらの形状寸法に合わせて形成される。
【００４９】
このうち、被挟持部２２ｆは、化粧板２１の表面および裏面を挟持係合部４２ｆの位置および形状寸法に合わせてザグリ加工することによって形成され、表裏のザグリ深さが揺動ヒンジ部材４２の板厚と同一または幾分大きく、残余の板厚が挟持係合部４２ｆの溝幅よりもわずかに大きくなるように設定されている。
【００５０】
また受容係合口２２ｇは、表裏貫通して化粧板２１の右側縁から左方に向けてＵ字状に切り込まれた溝形態をなし、その溝部の上下面の位置および高さ寸法が弾性係合片４２ｇの基端側の位置および高さ寸法に合わせて形成され、溝部の深さ寸法が弾性係合片４２ｇの側端面の位置に合わせて形成されている。なお、受容係合口２２ｇの溝底の上下のコーナ部は、上方コーナ部の溝内側半径が弾性係合片４２ｇの曲げ半径と同一もしくは幾分小さめに形成され（具体的には、弾性係合片４２ｇの曲げ半径がルータの工具半径と同一もしくは幾分大きめに形成され）、下方コーナ部における下面部には弾性係合片４２ｇの基端部（挟持係合部４２ｆからの曲げ起こし部）がＲ面と当接しないように逃げ面２２ｓが形成されている。
【００５１】
このため、揺動ヒンジ係合部２２が揺動ヒンジ部材４２に嵌合接続されると、挟持係合部４２ｆが被挟持部２２ｆを挟み込むように係合して化粧板２１を前後方向に挟持保持するとともに、弾性係合片４２ｇの側端面が受容係合口２２ｇの奥部端面（溝部底面）に当接して化粧板２１を左右方向に支持し、弾性係合片４２ｇの上下方向への弾性力により挟持係合部２４ｆの上辺と受容係合口２２ｇの溝下面とが係合して化粧板２１を上下方向に支持する。これにより、遊技盤２０が揺動ヒンジ部材４２および固定ヒンジ部材１２を介して、収容枠１１に横開き開閉および着脱可能に取り付けられる。
【００５２】
また前述したように、挟持係合部４２ｆの外形寸法は化粧板２１の板厚と同一またはこれより幾分小さめに設定され、弾性係合片４２ｇは挟持係合部４２ｆの前後方向寸法内に収められている。このため、上記嵌合姿勢において遊技盤係合部の各部が化粧板２１の表・裏面よりも前・後方向に突出することがなく、例えば、図１０に示すように遊技盤２０を閉鎖したときに、これらの各部が前方の収容枠１１に当接しないようになっている。
【００５３】
次に、下部開閉機構４０Ｂは、その構成を図６および図９に示すように、収容枠１１の下部にねじ固定される固定ヒンジ部材１３と、一端が固定ヒンジ部材１３に相対揺動可能に連結され他端が化粧板２１と嵌脱可能に係合する揺動ヒンジ部材４３とを主体とし、固定ヒンジ部材１３と揺動ヒンジ部材４３とがヒンジピン１３ｄを用いて相対揺動可能に連結される形態を例示する。化粧板２１の右下端部には揺動ヒンジ部材４３と嵌合する揺動ヒンジ係合部２３が形成されている。
【００５４】
固定ヒンジ部材１３は、固定ヒンジ部材１２と略同様に形成されており、収容枠１１にねじ固定されるベース部１３ａと、このベース部１３ａの下部が左右に切り離されて各下端部が異なる高さ位置で折り曲げられて後方に突出する第１支持部１３ｂおよび第２支持部１３ｃ、第１支持部１３ｂに上方に突出して固着されたヒンジピン１３ｄ、第２支持部１３ｃに上方に突出して固着された裏セットヒンジピン１３ｅなどの各部で構成される。ここで、第２支持部１３ｃおよび裏セットヒンジピン１３ｅは、裏セット盤揺動ヒンジ部材３３（図２を参照）を揺動可能に支持して裏セット盤３０を着脱および横開き開閉可能に支持する支持構造であり、遊技盤２０の開閉着脱機構と裏セット盤３０の開閉着脱機構とが共通の固定ヒンジ部材１３を用いて構成されている。固定ヒンジ部材１３は既述した固定ヒンジ部材１２と同様の金属材料を用いて同様の加工手段で形成される。
【００５５】
揺動ヒンジ部材４３は、平面視において略Ｌ字状に形成された板状のアーム部４３ｂと、このアーム部４３ｂの基端側に穿設された円孔状のヒンジ係合孔４３ｄと、アーム部４３ｂの先端側に曲げ成形された遊技盤係合部（挟持係合部４３ｆ，側端係合辺４３ｈ，導入片４３ｉ）とからなり、上記固定ヒンジ部材１３と同様の金属材料を用いて同様の加工手段で形成される。
【００５６】
アーム部４３ｂの基端側に形成されるヒンジ係合孔４３ｄは、ヒンジピン１３ｄの外径よりもわずかに大きな内径を有して嵌脱自在に形成されており、ヒンジピン１３ｄにワッシャ４４ｄを係合させて上方からヒンジ係合孔４３ｄを係合させることで、揺動ヒンジ部材４３が第１支持部１３ｂに揺動可能に枢支される。ワッシャ４４ｄは、第１支持部１３ｂとアーム部４３ｂの基端部との間に挟持させることで、第１支持部１３ｂとアーム部４３ｂとの摺動面積を低減させ、揺動開閉時の摩擦抵抗を低減させるために挿入しており、揺動ヒンジ部材４３がヒンジピン１３ｄを回転軸として滑らかに揺動されるようになっている。
【００５７】
アーム部４３ｂの先端側に形成される遊技盤係合部は、前後方向に延びるアーム部４３ｂの先端側が上下に屈曲成形されて側面視上方に開く凹状の挟持係合部４３ｆと、挟持係合部４３ｆの右端縁部から上方に曲げ起こされた側端係合片４３ｈ、および挟持係合部４３ｆの左端縁部が左方に延出されるとともにその先端部がコイニング加工（押し潰し加工）されてテーパ状に形成された導入片４３ｉとからなる。
【００５８】
揺動ヒンジ部材４３は、この揺動ヒンジ部材４３が固定ヒンジ部材１３に枢支され、遊技盤２０が揺動ヒンジ部材４３に嵌合接続されて収容枠１１に閉鎖されたときに、挟持係合部４３ｆの下面が収容枠１１の上面に支持され、側端係合片４３ｈが化粧板の右側端面の配設位置と一致するように形成される。また、挟持係合部４３ｆの前後方向寸法は、その外形寸法が化粧板２１の板厚と同一または幾分小さめに設定され、側端係合片４３ｈおよび導入片４３ｉは挟持係合部４３ｆの前後方向寸法内に収められている。
【００５９】
一方、化粧板２１の揺動ヒンジ係合部２３は、挟持係合部４３ｆと係合する被挟持部２３ｆと、挟持係合部４３ｆの底面ならびに導入片４３ｉを受容する受容係合部２３ｇとからなり、化粧板２１の右下端部にルータ加工により形成される。このうち受容係合部２３ｇは揺動ヒンジ部材４３の板厚および導入片４３ｉの突設位置に合わせて形成され、また被挟持部２３ｆは、化粧板２１の表面および裏面を挟持係合部４３ｆの形状寸法に合わせてザグリ加工することによって形成される。被挟持部２３ｆの表裏のザグリ深さは、揺動ヒンジ部材４３の板厚と同一またはこれより幾分大きく、残余の板厚が挟持係合部４３ｆの溝幅よりもわずかに大きくなるように設定されいる。
【００６０】
このため、揺動ヒンジ係合部２３が揺動ヒンジ部材４３に嵌合接続されると、挟持係合部４３ｆが被挟持部２３ｆを挟み込むように係合して化粧板２１を前後方向に挟持保持するとともに、被挟持部４３ｆの底面が化粧板２１の受容係合部２３ｇの下端面と係合して化粧板２１を上下方向に支持し、側端係合片４３ｈが化粧板２１の右端面と係合して左右方向に支持する。これにより、遊技盤２０が揺動ヒンジ部材４３および固定ヒンジ部材１３を介して、収容枠１１に横開き開閉および着脱可能に取り付けられる。
【００６１】
また前述したように、挟持係合部４３ｆの外形寸法は化粧板２１の板厚と同一またはこれより幾分小さめに設定され、側端係合片４３ｈおよび導入片４３ｉは挟持係合部４３ｆの前後方向寸法内に収められている。このため、上記嵌合姿勢において遊技盤係合部の各部が化粧板２１の表・裏面よりも前・後方向に突出することがなく、例えば、遊技盤２０を閉鎖したときにこれらの各部が前方の収容枠１１に当接しないようになっている（図１２を参照）。
【００６２】
なお、図１１および図１２に示すように、上下の揺動ヒンジ部材４２，４３におけるアーム部４２ｂ，４３ｂの基端側には、揺動ヒンジ部材４２，４３を所定の開放角度まで揺動させたときに、それぞれのベース部１２ａ，１３ａと当接して開放角度を規定する角度規定部４２ｓ，４３ｓが形成されており、遊技盤２０を装着するときに上下の揺動ヒンジ部材４２，４３の開放角度が同一、すなわち挟持係合部４２ｆ，４３ｆの溝方向が同一方向に揃い、各揺動ヒンジ係合部２２，２３と容易に係合させることができるようように構成している。以下、このようにして規定される開放角度を便宜的に「着脱操作角度」という。
【００６３】
着脱操作角度は、任意の開放角度を設定することができるが、本実施例では、揺動ヒンジ部材４３における挟持係合部４３ｆの下面が収容枠１１の上面に支持されてヒンジ係合部に無理な捻り力が作用しない角度位置とし、また後述する仮支持機構５０または６０，７０，８０，９０等（以下、仮支持機構５０等と略記する）によって遊技盤２０が仮支持される範囲内の角度位置に設定している。
【００６４】
なお、下部開閉機構４０Ｂについても上部開閉機構４０Ａと同様にボルト・ナット係合の揺動連結構造を用いてもよく、また、角度規定部４２ｓ，４３ｓの当接による揺動角度規制に替えて、例えば、ボールプランジャやインデックスプランジャ等を用いて揺動ヒンジ部材４２，４３を着脱操作角度で係止可能に構成してもよい。またこの場合に、仮支持機構によって仮支持される開放角度位置と、これより大きな開放角度位置、あるいは遊技盤が閉鎖された角度位置など複数の角度位置で係止可能に構成してもよい。
【００６５】
さて、以上のように構成される開閉着脱機構４０では、遊技盤２０を着脱操作角度まで横開き開放させ、仮支持機構５０等により化粧板２１の下面を仮支持させた状態で遊技盤と揺動ヒンジ部材との着脱操作を行う。なお、遊技盤の着脱操作は仮支持機構を利用した仮支持操作の作用説明と前後し、また一部重複するが、理解容易化のため本項で説明する。
【００６６】
まず、遊技盤２０を装着する操作について説明する。作業者は、予め前枠開放保持機構１５０および裏セット盤開放保持機構１６０を利用して前枠２および裏セット盤３０を図４に示すように開放保持させるとともに、上下の揺動ヒンジ部材４２，４３を着脱操作角度に設定する。このとき上部開閉機構４０Ａのボルト・ナット４４ａ，４４ｂを締結し、揺動ヒンジ部材４３が自由に揺動しないように係止させておく。そして、図４中に二点鎖線で示すように遊技盤２０を斜めに搬入し、図１１および図１２に示すように化粧板２１遊の右端部が揺動ヒンジ部材４２，４３の左方に近接した位置で、一旦、遊技盤２０を仮支持機構５０等に仮支持させる。
【００６７】
次いで、このように遊技盤２０が仮支持機構に仮支持された状態で、遊技盤２０の位置および盤面の傾きを微調整する。具体的には、化粧板２１の右端部をわずかに上方に持ち上げて遊技盤２０をわずかに左傾させた状態で、揺動ヒンジ係合部２３の被挟持部２３ｆが揺動ヒンジ部材４３の挟持係合部４３ｆの上方に位置し、上方の揺動ヒンジ係合部２２が図７に示すように揺動ヒンジ部材４２の左方に位置するように位置合わせする。そして、遊技盤２０を右傾させるようにして化粧板２１の右端部を下動させ、被挟持部２３ｆを挟持係合部４３ｆの溝内に嵌入させる。
【００６８】
このとき、上部開閉機構４０Ａでは、遊技盤２０の右傾に伴って揺動ヒンジ係合部２２が右動し、弾性係合片４２ｇが受容係合口２２ｇ内に嵌入するとともに、挟持係合部４２ｆが被挟持部２２ｆと係合する。そして、この状態から化粧板２１の左側縁を右方に押圧し、化粧板２１の下部右端面が側端係合片４３ｈに当接し、受容係合口２２ｇの奥部端面（溝部底面）が弾性係合片４２ｇの側端面に当接するまで化粧板２１をスライド移動させる。ここで、弾性係合片４２ｇの左上端部は曲げ加工により曲面状に形成され、導入片４３ｉの先端部はコイニング加工により斜面状に形成されているため、化粧板２１を滑らかにスライド移動させることができる。
【００６９】
これにより、上部の揺動ヒンジ係合部２２と揺動ヒンジ部材４２とが図８に示すように嵌合接続され、下部の揺動ヒンジ係合部２３と揺動ヒンジ部材４３とが図９に示すように嵌合接続されて、化粧板２１が上下の挟持係合部に挟まれるようにして固定ヒンジ部材１２，１３に揺動開閉可能に支持される。そして、このように揺動開閉可能に支持された遊技盤２０を閉鎖して収容枠１１に収容させ、閉鎖クランプ１４（１４ａ，１４ｂ，１４ｃ）を回動操作して化粧板２１の裏面に係合させることにより遊技盤２０が前枠２の所定位置にセット保持され、遊技領域ＰＡがガラス扉５に臨んで配設される。
【００７０】
一方、遊技盤２０を取り外す場合には、上記同様に前枠２と裏セット盤３０とを開放状態に保持させ、仮支持機構５０等を仮支持状態に設定したうえ、閉鎖クランプ１４を回動操作して化粧板２１裏面との係合を解除させ、化粧板２１の上縁部に指をかけて遊技盤２０を手前に引き出して遊技盤２０を着脱操作角度まで開放し、化粧板２１の下面を仮支持機構５０等に仮支持させる。
【００７１】
次いで、遊技盤２０が仮支持された状態で、遊技盤２０を搬出するのに適宜な部位、例えば化粧板２１の左右側縁部を把持し、遊技盤２０を左斜め後方に引き出すようにスライド移動させ、揺動ヒンジ部材４２，４３と揺動ヒンジ係合部２２，２３との嵌合接続を解除させる。あるいは、仮支持機構に支持された支持部を支点として遊技盤２０をわずかに左傾させるようにして、揺動ヒンジ部材４２，４３と揺動ヒンジ係合部２２，２３との嵌合接続を解除させる。そして、遊技盤２０を図４中に二点鎖線で示すように斜めに引き出し、遊技盤２０を収容枠１１から取り外す。
【００７２】
従って、以上のように構成される開閉着脱機構４０によれば、熟練作業者によることなく遊技盤２０の着脱操作を容易に行うことができる。また、個々の遊技盤に揺動ヒンジ部材を固定配設する必要がなく、揺動ヒンジ係合部２２，２３を他の盤面加工と同時にルータ加工で形成することができるため、遊技盤２０の製作コストや盤面交換時の必要コストを低減させることができる。さらに、揺動ヒンジ部材２，４３を切り離した状態で遊技盤の取り扱いができるため、遊技盤２０の搬送や盤面交換等の取扱時に誤って揺動ヒンジ部材をぶつけて変形させてしまうようなことがない。
【００７３】
次に、遊技盤の開閉着脱機構の第３および第４実施例について、図１３および図１４を参照しながら簡潔に説明する。ここで図１３は、上述した上部開閉機構４０Ａと同様に化粧板２１の側縁部と嵌合接続する側縁支持形態の開閉機構を例示する斜視図であり、また図１４は、下部開閉機構４０Ｂと同様に化粧板の下端角部と嵌合接続する上下縁支持形態の開閉機構を例示する斜視図である。
【００７４】
図１３に例示する着脱開閉機構４０Ｃは、収容枠１１にねじ固定される固定ヒンジ部材１１２と、基端側の上下端部が固定ヒンジ部材１１２に相対揺動可能に連結され他端中央部が化粧板２１と嵌脱可能に係合する揺動ヒンジ部材１４２とを主体として構成され、固定ヒンジ部材１１２と揺動ヒンジ部材１４２とが、前述したと同様のボルト・ナットを用いて相対揺動可能に連結される。また化粧板２１には揺動ヒンジ部材１４２と嵌合する揺動ヒンジ係合部１２２が形成される。なお本実施例では、化粧板２１の板厚中心の延長線上に固定ヒンジ部材１１２と揺動ヒンジ部材１４２との揺動連結軸を配設した例を示しており、固定ヒンジ部材１１２がねじ固定される収容枠１１の固定部は、この揺動連結軸の配設位置に合わせて前方に凹設されている。
【００７５】
固定ヒンジ部材１１２は、収容枠１１にねじ固定されるベース部１１２ａと、このベース部１１２ａの上下端部がコの字状に折り曲げられて上下平行に後方に突出する第１支持部１１２ｂ，１１２ｂ、ベース部１１２ａの下部が左右に切り離されるとともに第１支持部１１２ｂと異なる高さ位置で折り曲げられて後方に突出する第２支持部１１２ｃ、上下の第１支持部１１２ｂに円孔状に穿設された支軸孔１１２ｄ、第２支持部１１２ｃに上方に突出して固着された裏セットヒンジピン１１２ｅなどの各部で構成される。ここで、第２支持部１１２ｃおよび裏セットヒンジピン１１２ｅは、前記同様に裏セット盤揺動ヒンジ部材３２を揺動可能に支持して裏セット盤３０を着脱および横開き開閉可能に支持する支持構造である。固定ヒンジ部材１１２は、既述した各固定ヒンジ部材と同様の金属材料を用いて同様の加工手段で形成される。
【００７６】
揺動ヒンジ部材１４２は、上下方向に延びる揺動ベース部１４２ａと、このアーム部の上下端部がコの字状に折り曲げられて上下平行に右方に突出するアーム部１４２ｂ，１４２ｂ、上下のアーム部１４２ｂに穿設された円孔状のヒンジ係合孔１４２ｄ、揺動ベース部１４２ｂの前後がコの字状に折り曲げられて前後平行に左方に突出する挟持係合部１４２ｆ、および挟持係合部の前後の壁面間に固着され前後に延びる係合筒１４２ｇからなり、揺動ヒンジ部材４２と同様の金属材料を用いて同様の加工手段で形成される。挟持係合部１４２ｆの前後の壁面間隔は、その外形寸法が化粧板２１の板厚と同一または幾分小さめに設定されている。
【００７７】
揺動ヒンジ部材１４２のアーム部１４２ｂ，１４２ｂの上下外面間隔は、ベース部材１１２の上下の第１支持部１１２，１１２ｂの上下内面間隔よりも幾分小さめに形成されており、揺動ヒンジ部材１４２ｂが上下の第１支持部１１２ｂの間に挟持されるように配設され、上下各支軸孔１１２ｄとヒンジ係合孔１４２ｄとがそれぞれボルト・ナット（４４ａ，４４ｂ）で締結されて、揺動ヒンジ部材１４２が揺動可能に固定ヒンジ部材１１２に連結され、かつ任意の揺動角度位置で係止保持可能に支持される。なお、上下のアーム部１４２ｂの面間と上下の第１支持部１１２ｂの面間を同一として、上下両方のアーム部を第１支持部１１２ｂの上面に支持させる構成としてもよく、また上下いずれか一方または両方の係合連結部をヒンジピンとヒンジ係合孔の構成としてもよい。
【００７８】
一方、化粧板２１の揺動ヒンジ係合部１２２には、挟持係合部１４２ｆと係合する被挟持部１２２ｆ、および係合筒１４２ｇを受容して係合する受容係合口１２２ｇがルータ加工により形成されている。揺動ヒンジ係合部１２２は、揺動ヒンジ部材１４２が固定ヒンジ部材１１２に取り付けられ、遊技盤２０が揺動ヒンジ部材１４２に嵌合接続されて収容枠１１に収容保持されたときの挟持係合部１４２ｆおよび係合筒１４２ｇの位置および形状寸法に合わせて形成される。
【００７９】
このうち、被挟持部１２２ｆは、化粧板２１の表面および裏面を挟持係合部１４２ｆの位置および形状寸法に合わせてザグリ加工することによって形成され、表裏のザグリ深さが揺動ヒンジ部材１４２の板厚と同一または幾分大きく、残余の板厚が挟持係合部１４２ｆの前後の壁面の内面間隔よりもわずかに大きくなるように設定されている。また受容係合口１２２ｇは、表裏を貫通し化粧板２１の右側端面から左方に向けて切り込まれたＵ字状の溝形態をなし、溝幅が係合筒１４２ｇの直径よりもわずかに大きく、溝深さが係合時の係合筒１４２ｇの配設位置よりも深く形成されている。
【００８０】
このため、遊技盤２０を仮支持機構５０等を利用して仮支持させ、遊技盤２０を右動させるようにして揺動ヒンジ係合部１２２を揺動ヒンジ部材１４２に嵌合接続させると、挟持係合部１４２ｆが被挟持部１２２ｆを挟み込むように係合して化粧板２１を前後方向に挟持保持するとともに、係合筒１４２ｇが受容係合口１２２ｇに受容されて化粧板２１を上下方向に支持し、揺動ベース部１４２ａが化粧板２１の右端面に当接して化粧板２１を左右方向に支持する。これにより、遊技盤２０が揺動ヒンジ部材１４２および固定ヒンジ部材１１２を介して、収容枠１１に横開き開閉および着脱可能に取り付けられる。
【００８１】
従って、本実施例に示す開閉機構４０Ｃにおいても、前示した上部開閉機構４０Ａと同様に容易に遊技盤の着脱操作を行うことができ、同様の効果を得ることができる。また、本実施例の開閉機構４０Ｃでは挟持係合部１４２ｆと被挟持部１２２ｆとの係合面積が広く、かつ揺動ヒンジ部材１４２が第１支持部１１２ｂに上下２カ所で支持される構成のため、比較的重量のある遊技盤等に対しても利用可能な強固な支持構造を提供することができる。
【００８２】
さらに、本構成では遊技盤２０を嵌合接続させる際に作用する押圧力の作用線上に揺動連結軸があるため、これらがオフセットされている場合のような回転モーメントが作用することがなく、ボルトナットの締結力が弱い場合であっても装着作業中に揺動ヒンジ部材が揺動して逃げてしまうようなことがない。なお、挟持係合部１４２ｆの先端側に一定の導入部を設けること、または被挟持部１２２ｆの表裏面の右端角部にテーパ状の導入部を形成することなどにより、この効果をさらに向上させることも可能である。
【００８３】
また、本実施例の開閉機構４０Ｃでは、受容係合口１２２ｇと係合する係合部材として円筒状の係合筒１４２ｇを用いているため、嵌合接続時に円筒面が導入ガイドとして作用し、遊技盤を容易に係合させることができる。なお、係合筒１４２ｇを回転自在なローラ構成とすることにより上記効果をさらに高めることも可能である。
【００８４】
図１４に例示する開閉機構４０Ｄは、化粧板の下端角部と嵌合接続する上下縁支持形態の開閉機構であり、化粧板２１と揺動ヒンジ部材との嵌合部を除いて既述した開閉機構４０Ｂと同様である。このため、揺動ヒンジ部材につては同一要素部分に同一番号を付して重複説明を省略するとともに、固定ヒンジ部材１３については記載を省略し同一番号を引用して説明する。
【００８５】
開閉機構４０Ｄは、収容枠１１の下部にねじ固定される固定ヒンジ部材１３と、一端が固定ヒンジ部材１３に相対揺動可能に連結され他端が化粧板２１と嵌脱可能に係合する揺動ヒンジ部材１４３とを主体とし、固定ヒンジ部材１３と揺動ヒンジ部材１４３とがヒンジピン１３ｄ（またはボルト・ナット係合）を利用して相対揺動可能に連結される。化粧板２１の右下端部には揺動ヒンジ部材１４３と嵌合する揺動ヒンジ係合部１２３が形成されている。
【００８６】
揺動ヒンジ部材１４３は、平面視において略Ｌ字状に形成された板状のアーム部４３ｂと、このアーム部４３ｂの基端側に穿設された円孔状のヒンジ係合孔４３ｄと、アーム部４３ｂの先端側に曲げ成形された遊技盤係合部１４３ｆ，１４３ｇとからなり、揺動ヒンジ部材４３と同様の金属材料を用いて同様の加工手段で形成される。アーム部４３ｂの先端側に形成される遊技盤係合部は、前後方向に延びるアーム部４３ｂの先端側が上下に屈曲成形されて側面視上方に開く凹状の挟持係合部１４３ｆと、挟持係合部１４３ｆの前後の壁面間に固着され前後に延びる係合筒１４３ｇとからなる。挟持係合部１４３ｆの前方壁面は後方壁面よりも上方に延びて形成されている。
【００８７】
揺動ヒンジ部材１４３は、この揺動ヒンジ部材１４３が固定ヒンジ部材１３に枢支され、遊技盤２０が揺動ヒンジ部材１４３に嵌合接続されて収容枠１１に閉鎖されたときに、挟持係合部１４３ｆの下面が収容枠１１の上面に支持されるように形成される。また、挟持係合部１４３ｆの前後方向寸法は、その外形寸法が化粧板２１の板厚と同一または幾分小さめに設定されている。
【００８８】
一方、化粧板２１の揺動ヒンジ係合部１２３は、挟持係合部１４３ｆと係合する被挟持部１２３ｆ、係合筒１４３ｇを受容して係合する受容係合口１２３ｇ、および挟持係合部１４３ｆの底面を受容するため揺動ヒンジ部材１４３の板厚分切り込まれた受容部などからなり、化粧板２１の右下端部にルータ加工により形成されている。
【００８９】
このうち、被挟持部１４３ｆは、化粧板２１の表面および裏面を挟持係合部１４３ｆの位置および形状寸法に合わせてザグリ加工することによって形成され、表裏のザグリ深さが揺動ヒンジ部材１４３の板厚と同一または幾分大きく、残余の板厚が挟持係合部１４３ｆの前後の壁面の内面間隔よりもわずかに大きくなるように設定されている。また受容係合口１２３ｇは、化粧板２１の下端面から左方に向けて切り込まれたＵ字状の溝形態をなし、溝幅が係合筒１４２ｇの直径よりもわずかに大きく、溝深さが係合時の係合筒１４３ｇの配設位置よりも深く形成されている。
【００９０】
このため、遊技盤２０を仮支持機構５０等を利用して仮支持させ、化粧板２１の右端部をわずかに上方に持ち上げて遊技盤２０を左傾させた状態で、被挟持部１２３ｆの前面側が挟持係合部１４３ｆの前方の立設壁面に接触し、受容口１２３ｇが係合筒１４３ｇの上方に位置するように位置合わせする。そして、遊技盤２０を右傾させるようにして化粧板２１の右端部を下動させ、被挟持部１２３ｆを挟持係合部１４３ｆの溝内に嵌入させ、受容口１２３ｇ内に係合筒１４３ｇを受容させて係合させる。
【００９１】
このようにして揺動ヒンジ係合部１２３と揺動ヒンジ部材１４３とが嵌合接続されると、挟持係合部１４３ｆが被挟持部１２３ｆを挟み込むように係合して化粧板２１を前後方向に挟持保持するとともに、係合筒１４３ｇが受容係合口１２３ｇに受容されて化粧板２１を左右方向に支持し、挟持係合部１４３ｆの溝部上面が揺動ヒンジ係合部１２３の下端面に当接して化粧板２１を上下方向に支持する。これにより、遊技盤２０が揺動ヒンジ部材１４３および固定ヒンジ部材１３を介して、収容枠１１に横開き開閉および着脱可能に取り付けられる。
【００９２】
従って、本実施例に示す開閉機構４０Ｄにおいても、前示した下部開閉機構４０Ｂと同様に容易に遊技盤の着脱操作を行うことができ、同様の効果を得ることができる。また、本実施例の開閉機構４０Ｄでは、挟持係合部１４３ｆの前方の立設壁面を後方の壁面よりも上方に延ばして形成しているため、この立設壁面が遊技盤２０の位置合わせおよび嵌合接続時のガイドとして作用し、装着作業を容易化することができる。また受容係合口１２３ｇと係合する係合部材として円筒状の係合筒１４３ｇを用いているため、嵌合接続時に円筒面が左右方向の導入ガイドとして作用し、遊技盤２０を左右方向に押圧操作しなくても嵌合接続過程で自動調芯的に位置調整して係合する。従って、このような構成の開閉機構４０Ｄによれば、遊技盤の装着操作をさらに容易化した開閉機構を提供することができる。なお、被挟持部１２３ｆの裏面側の下端角部にテーパ状の導入部を形成することにより、また、係合筒１４３ｇを回転自在なローラ構成とすることにより、上記各効果をさらに高めることも可能である。
【００９３】
以上、遊技盤の開閉着脱機構について４０Ａ〜４０Ｄの各実施例について説明したが、既述したように、各開閉機構の配設位置および組み合わせは例示として示したものであり、遊技盤２０の右側縁の上下に同様の側縁支持形態の開閉機構を設ける構成（例えば、開閉機構４０Ａと、開閉機構４０Ａにおける遊技盤係合部４２ｆ，４２ｇの向きを上下逆構成にした開閉機構４０Ａ′とを設ける構成）や、遊技盤２０の上下端部に同様の上下縁支持形態の開閉機構を設ける構成（例えば、開閉機構４０Ｂと、開閉機構４０Ｂにおける遊技盤係合部４３ｆの向きを上下逆構成にした開閉機構４０Ｂ′とを設ける構成）としてもよく、４０Ａ〜４０Ｄの各開閉機構を適宜組み合わせた構成としてもよい。また、固定ヒンジ部材と揺動ヒンジ部材との揺動連結部についても、適宜ピン係合としあるいはボルト・ナット係合とすることができる。さらに、各実施例では遊技盤２０用の固定ヒンジ部材と裏セット盤３０用の固定ヒンジ部材とを、共通のベース部１２ａ，１３ａに形成した例を示したが、遊技盤用に別個独立した固定ヒンジ部材を設ける構成としてもよい。
【００９４】
次に、このように開閉着脱可能に支持された遊技盤２０の下面を仮支持する仮支持機構について説明する。図１５〜図１９に第１実施例の仮支持機構５０を示しており、まず、これらの図面を参照して仮支持機構５０の構成について説明する。なお、図１５は仮支持機構５０の構成を説明するための分解斜視図、図１６は収容姿勢にある仮支持機構５０を裏面側から見た背面図、図１７は仮支持機構５０における収容姿勢(A)〜中間状態(B)〜仮支持姿勢 (C)にわたる変化を示す説明図（側断面図）、図１８は仮支持姿勢にある仮支持機構５０を裏面側から見た背面図、図１９は仮支持姿勢にある仮支持機構５０を上方から見た平面図（部分断面図）である。
【００９５】
仮支持機構５０は、前枠２における遊技補助盤１５の裏面側にねじ固定されるベース部材５１、ベース部材５１の上部に揺動可能に枢支される遊技盤仮受け部材５２、ベース部材５１の下部に揺動可能に取り付けられて遊技盤仮受け部材５２を突出変位させた角度位置で支持する支持部材５３を主体として構成される。なお、仮支持機構５０では、遊技盤仮受け部材５２と支持部材５３とが揺動変位する形態のため、これらの部材の構成を説明するにあたっては、図１５に示す姿勢の方向をもって前後左右と称して説明する。
【００９６】
ベース部材５１は、基板となるベース部５１ａと、このベース部５１ａから上方に延びるとともに前方にオフセット成型された位置決め部５１ｂ、位置決め部５１ｂの左右端部が直角に折り曲げられて後方に突出する固定ヒンジ部５１ｃ、ベース部５１ａの下端部が左右に張り出されその端部が直角に折り曲げられて後方に突出する支持部５１ｄなどからなる。
【００９７】
ベース部５１ａにはベース部材５１を取り付けるための３カ所のねじ孔５１ｈが形成され、位置決め部５１ｂには前枠２に対するベース部材５１を位置決めするための２カ所の位置決め孔５１ｐが、左右の固定ヒンジ部５１ｃには枢結ピン５５を受容して遊技盤仮受け部材５２を揺動可能に枢支する固定ヒンジ孔５１ｑが、左右の支持部５１ｄには支持部材５３を揺動可能に支持するための支持孔５１ｒが、それぞれ形成されている。
【００９８】
このように、位置決め部５１ｂをベース部５１ａよりも前方にオフセットして形成し、この位置決め部５１ｂの左右を後方に折り曲げて固定ヒンジ部５１ｃを形成しているため、ベース部材５１を固定するための取付ボス１６ａが遊技補助盤１５の前面側に突出することがなく、かつ左右の固定ヒンジ孔５１ｑ（すなわち遊技盤仮受け部材５２の揺動軸）を収容枠１１から後方に突出させることなく収容枠の厚さ内に配設している。なお、ベース部材５１は、所定板厚の冷間圧延鋼板やステンレス鋼板等をパンチングやプレス成形等の公知の加工手段により図示する形状に成型し、必要に応じて所要の表面処理を行って構成する。
【００９９】
遊技盤仮受け部材５２は、遊技盤２０を支持する支持面部５２ａと、この支持面部５２ａから前方に延びるとともに下方にオフセット成形された逃げ部５２ｂ、逃げ部５２ｂの左右端部が直角に折り曲げられて下方に突出する揺動ヒンジ部５２ｃ、支持面部５２ａの左右端部が直角に折り曲げられて下方に突出する支持受け部５２ｄなどからなる。揺動ヒンジ部５２ｃには枢結ピン５５を受容して左右の固定ヒンジ部５１ｃに揺動可能に支持される揺動ヒンジ孔５２ｑが形成され、支持受け部５２ｄには支持部材５３と係合する長孔状の支持受け孔５２ｒが形成されるとともに、この支持受け孔５２ｒに支持部材５３を受容するための切り欠き部５２ｓが形成されている。
【０１００】
遊技盤仮受け部材５２における支持面部５２ａは、遊技盤仮受け部材５２がベース部材５１に枢結され、支持部材５３により仮支持姿勢（図１７(C)の状態）に係止されたときに、支持面部５２ａの上面が揺動ヒンジ部材４２，４３を介して固定ヒンジ部材１２，１３に連結された状態（以下、「ヒンジ連結された状態」という）における化粧板２１の下端面の高さ位置と同一もしくはわずかに高くなるように形成され、左右方向の配設位置および前後方向への突出位置は着脱操作角度にある化粧板２１の配設位置に合わせて設定されている。また左右の支持受け部５２ｄはこれらの内面間隔がベース部５１ａの幅よりも大きく、かつ支持受け部５２ｄの外面間隔が左右の支持部５１ｄの内面間隔よりも小さくなるように相互間隔を設定している。遊技盤仮受け部材５２は、ベース部材５１と同様の板材を用い同様の加工手段により形成される。
【０１０１】
支持部材５３は、遊技盤仮受け部材５２の左右の支持受け孔５２ｒと係脱可能な支持バー部５３ａと、この支持バー部の左右が直角に折り曲げられて平行に延びる支持脚部５３ｂ、左右支持脚部５３ｂの先端側が支持バー部５３ａと平行にそれぞれ左右外方に屈曲され端部に雄ネジが形成されるとともにその基端側にフランジ部が設けられた揺動軸部５３ｃなどから構成される。
【０１０２】
支持部材５３は、左右の支持脚部５３ｂの内面間隔が支持バー部５３ａ側で支持受け部５２ｄの外面間隔よりも幾分大きく設定される一方、揺動軸部５３ｃ側で狭められたΩ形に形成されており、左右の支持受け部５２ｄを挟むように係合して遊技盤仮受け部材５２を左右にぶれることなく支持するとともに、仮支持機構５０の幅寸法を小型に構成している。支持部材５３は、例えば所定線径のみがき鋼棒の両端に旋削や転造等によりねじ部を形成したうえで図示する形状に曲げ加工し、必要に応じて所要の表面処理を施すとともに、両側の所定位置にワッシャをカシメ締結しあるいはスナップリング等を嵌着固定して構成する。
【０１０３】
遊技盤仮受け部材５２と支持部材５３とは、それぞれ枢結ピン５５およびナット５７を利用してベース部材５１に取り付けられる。遊技盤仮受け部材５２は、左右の揺動ヒンジ部５２ｃに形成された揺動ヒンジ孔５２ｑと左右の固定ヒンジ部５１ｃに形成された固定ヒンジ孔５１ｑとを位置合わせして連通させ、これらの孔部を貫通するように枢結ピン５５挿通させて、突出した先端側にＥリング５６を嵌着することで固定ヒンジ部５１ｃに揺動自在に枢結される。支持部材５３は、左右支持脚部５３ｂ，５３ｂの間隔を狭めるように弾性変形させて、先端の雄ネジ部を左右の支持孔５１ｒ，５１ｒに挿通させ、突出した端部にナット５７，５７を螺合させることで支持部５１ｄ，５１ｄに揺動可能に支持される。
【０１０４】
こうして組み立てられた部分組立体が遊技補助盤１５に取り付けられる。遊技補助盤（前枠２における収容枠１１の下部領域）１５の裏面側には、遊技盤仮支持機構５０を取り付けるための機構取付部１６が設けられている。機構取付部１６には、位置決め部５１ｂに形成された２カ所の位置決め孔５１ｐと係合してベース部材５１の上下左右位置及び角度姿勢を規定する位置決めピン１６ｐ、およびベース部材５１が位置決めされたときにベース部５１ａに形成された３カ所のねじ孔５１ｈと位置整合するねじ受容部を有した円筒状の取付ボス１６ａが突出成型されるとともに、遊技補助盤１５の下方のリブには左右の支持脚部５３ｂの幅および線形に合わせた切り欠き部１６ｃが形成されている。
【０１０５】
このため、作業者がベース部材５１の２カ所の位置決め孔５１ｐを位置決めピン１６ｐに嵌合させて位置決めし、各ねじ孔５１ｈにねじ５８を挿通させて取付ボス１６ａにねじ止めすることにより、ベース部材５１を含む部分組立体が遊技補助盤１５の所定位置に位置決め固定される。
【０１０６】
このように構成される遊技盤の仮支持機構５０は、図１６に示す収納姿勢と、図１８および図１９に示す仮支持姿勢とに変位させることができる。図１７には仮支持機構５０の収容姿勢(A)〜中間状態(B)〜仮支持姿勢(C)にわたる変化の態様を示しており、以下この図１７を主に参照しながら仮支持機構５０の作用について説明する。
【０１０７】
パチンコ機ＰＭが遊技に供される遊技時には、仮支持機構５０が図１７(A)に示す収容姿勢に保持される。この収容姿勢では、支持部材５３は支持孔５１ｒに支持された揺動軸部５３ｃを揺動軸として支持バー部５３ａが垂下した状態に配設され、左右の支持脚部５３ｂが遊技補助盤１５の下方のリブに形成された切り欠き部１６ｃに収容される。遊技盤仮受け部材５２は枢結ピン５５を揺動軸として支持面部５２ａが前枠の裏面下方を向くように垂下する。
【０１０８】
前述したように、左右の支持受け部５２ｄはこれらの内面間隔がベース部５１ａの幅よりも大きく、かつ支持受け部５２ｄの外面間隔が左右の支持部５１ｄの内面間隔よりも小さくなるように相互間隔を設定している。このため遊技盤仮受け部材５２を収容姿勢にしたときに、左右の支持受け部５２ｄがベース部材５１に当接することなく、ベース部５１ａの左右側方に位置してコンパクトに収容される。また遊技盤仮受け部材５２の揺動軸が収容枠１１の後端面よりも内側に設けられ、逃げ部５２ｂが支持面部５２ａよりも前方にオフセット成形されているため、収容姿勢において遊技盤仮受け部材５２の各部が後方に大きく突出するようなことがない。このため仮支持機構５０はわずかな厚さ（前後方向寸法）に折りたたむことができ、前枠２と裏セット盤３０との間に収容保持させることができる。
【０１０９】
上記のような収容姿勢から、遊技盤２０を仮支持可能な仮支持姿勢に変化させるときには、図１７(B)に示すように、遊技盤仮受け部材５２を枢結ピン５５まわりに上方に揺動させ、支持部材５３を揺動軸部５３ｃまわりに上方に揺動変位させて、支持部材の支持バー部５３ａを切り欠き部５２ｓを通して支持受け孔５２ｒ内に導入する。そして、遊技盤仮受け部材５２を下方に揺動させ支持部材５３を裏面方向に傾動させて支持バー部５３ａを支持受け孔５２ｒの後方に移動させ、支持バー部５３ａを支持受け孔５２ｒの後端部と係合させることで、仮支持機構５０が図１７(C)に示すような仮支持姿勢に設定される。
【０１１０】
仮支持姿勢では、遊技盤仮受け部材５２が収容枠１１の裏面方向（すなわち遊技盤２０の着脱方向）に突出した状態で係止され、支持面部５２ａの上面がヒンジ連結された状態の化粧板２１の下端面の高さ位置と同一もしくはわずかに高くなるように配設される。支持部材５３は支持受け部５２ｄと支持部５１ｄとの間を繋ぐ梁として機能し、支持面部５２ａに上方から作用する荷重に抗して、遊技盤仮受け部材５２を仮支持姿勢に保持させる。支持部材５３における左右の支持脚部５３ｂは、左右の支持受け部５２ｄを外側から挟み込むように位置しており、支持面部５２ａに荷重が作用したときに、係合が外れたりねじれが生じたりし難い構成となっている。なお、支持バー部５３ａに図１５中に二点鎖線で示すように、左右の支持受け部５２ｄの内面間隔に合わせたなカラー５３ｋを固設し、あるいは内面間隔に合わせた左右位置にスナップリングを嵌着等することにより、上記抗力をより高めた構成とすることも可能である。
【０１１１】
さて、このようにして仮支持機構５０を仮支持姿勢に設定したのち、着脱開閉機構４０を併用して遊技盤２０の着脱作業を行う。この着脱操作については既述したとおりであるが、念のため、仮支持機構５０に関する部分について再び説明すると（図６〜図１２を参照）、作業者は、前枠開放保持機構１５０および裏セット盤開放保持機構１６０により前枠２および裏セット盤３０を開放状態に保持させるとともに、上下の揺動ヒンジ部材４２，４３を着脱操作角度に設定する。そして、図４中に二点鎖線で示すように遊技盤２０を斜めに搬入し、化粧板２１遊の右端部が揺動ヒンジ部材４２，４３の左方に近接した位置で、一旦、遊技盤２０を仮受け部材５２の支持面部５２ａ上に仮支持させる。
【０１１２】
次いで、遊技盤２０が支持面部５２ａ上に支持された状態で、遊技盤２０を嵌合接続させるのに適宜な位置に持ち替え、化粧板２１の位置および傾きを微調整して揺動ヒンジ係合部２２，２３の位置を揺動ヒンジ部材４２，４３の位置に位置合わせする。そして、遊技盤２０を右傾させるようにして化粧板下部の被挟持部２３ｆを挟持係合部４３ｆの溝内に嵌入させ、化粧板上部の被挟持部２２ｆを挟持係合部４２ｆの溝内に嵌入させて係合させる。そして、この状態から化粧板２１の左側縁を右方に押圧し、化粧板２１の下部右端面が側端係合片４３ｈに当接し、受容係合口２２ｇの奥部端面が弾性係合片４２ｇの側端面に当接するまでスライド移動させる。
【０１１３】
前述したように、支持面部５２ａの上面高さは、化粧板２１がヒンジ連結された状態における化粧板２１の下端面の高さ位置と同一もしくはわずかに高くなるように形成され、かつ左右方向の配設位置および前後方向への突出位置は着脱操作角度にある化粧板２１の配設位置に合わせて設定されている。このため、作業者は化粧板２１の下端面を支持面部５２ａに支持させた状態で、遊技盤２０の前後・左右位置や傾き角度を微調整し、あるいは支持面部５２ａを支点として水平および垂直面内に自由に遊技盤２０を傾動させることができ、上記のような遊技盤の装着操作を容易に行うことができるようになっている。
【０１１４】
このようにして化粧板２１が上下の揺動ヒンジ部材４２，４３に嵌合接続されると、遊技盤２０は揺動ヒンジ部材４２，４３と固定ヒンジ１２，１３との揺動連結軸まわりに横開き開閉可能に支持される。作業者は遊技盤２０を前方に押圧して支持面部５２ａ上を滑らせ、遊技盤２０を収容枠１１に収容させる。そして、閉鎖クランプ１４を回動操作して化粧板２１の裏面側に係合させ、遊技盤２０を係止保持させる。これにより遊技盤２０が前枠２の所定位置にセット保持され、遊技領域ＰＡがガラス扉５に臨んで配設される。
【０１１５】
あとは、前述したと逆の手順（図１７(C)→(B)→(A)）で仮支持機構５０を折りたたみ、裏セット盤開放保持機構１６０による裏セット盤３０の開放保持を解除して裏セット盤３０を前枠２の裏側を覆うように閉じて閉鎖レバー３４により閉鎖保持させ、前枠開放保持機構１５０による前枠２の開放保持を解除して前枠２を外枠１に閉鎖させることで、通常の遊技状態に復帰される。
【０１１６】
一方、遊技盤２０を収容枠１１から取り外す場合には、上記と同様にして前枠２および裏セット盤３０を開放保持させ仮支持機構５０を仮支持状態に設定した状態で、閉鎖クランプ１４による遊技盤２０の閉止状態を解除させ、化粧板２１の上縁部に指をかけて遊技盤２０を手前に引き出し、遊技盤２０を着脱操作角度まで開放させて化粧板２１の下面を支持面部５２ａに仮支持させる。
【０１１７】
次いで、遊技盤２０が仮支持された状態で、遊技盤２０を搬出するのに適宜な部位、例えば化粧板２１の左右側縁部を把持し、遊技盤２０を左斜め後方に引き出すようにスライド移動させ、揺動ヒンジ部材４２，４３と揺動ヒンジ係合部２２，２３との嵌合接続を解除させる。あるいは、支持面部５２ａを支点として遊技盤２０をわずかに左傾させるようにして、揺動ヒンジ部材４２，４３と揺動ヒンジ係合部２２，２３との嵌合接続を解除させる。そして、遊技盤２０を図４中に二点鎖線で示すように斜めに引き出し、遊技盤２０を収容枠１１から取り外す。
【０１１８】
あとは、適宜新たな遊技盤や保守点検が終了した遊技盤を前述した手順で収容枠１１に取り付け、前述同様に仮支持機構５０を折りたたんで、裏セット盤３０および前枠２を閉鎖することで、通常の遊技状態に復帰される。
【０１１９】
従って、このような遊技盤の仮支持機構５０によれば、大型かつ重量物の遊技盤であっても、熟練者によることなく容易に着脱作業することができる。また、仮支持機構５０では、この機構を使用するときに遊技盤仮受け部材５２を遊技盤２０の着脱方向に突出変位させ、この機構を使用しないときに前枠２と裏セット盤３０との間に収容させる形態のため、収容枠１１を後方に延出させるような機構に比べて使用時における遊技盤仮受け部材５２の突出量を大きく取って着脱作業を容易化することができるとともに、前枠または裏セット盤の厚さを増加させることなくコンパクトに構成することができる。
【０１２０】
次に、第２実施例の遊技盤の仮支持機構６０について説明する。この仮支持機構６０は、全体として前述した仮支持機構５０と略同様の形態を備え、仮支持機構５０における支持部材５３、この支持部材５３を支持する支持部５１ｄならびに支持受け部５２ｄの構成が異なっている。そこで、図１７(A)(B)(C)に対応して、仮支持機構６０における収容姿勢(A)〜中間状態(B)〜仮支持姿勢 (C)の変化を図２０に示し、以下この図を参照して仮支持機構６０について簡潔に説明する。なお、仮支持機構５０と同様構成の部分に同一番号を付して重複説明を省略する。
【０１２１】
仮支持機構６０は、遊技補助盤１５の裏面側にねじ固定されるベース部材５１′、ベース部材５１′の上部に揺動可能に枢支される遊技盤仮受け部材５２′、ベース部材５１′の下部に揺動可能に取り付けられて遊技盤仮受け部材５２′を突出変位させた角度位置で支持する支持部材６３を主体として構成される。
【０１２２】
ベース部材５１′は、ベース部５１ａ、位置決め部５１ｂ、固定ヒンジ部５１ｃ、およびベース部５１ａの下端部から左右に張り出されその端部が直角に折り曲げられて後方に突出する支持部６１ｄなどからなり、支持部６１ｄの構成を除いて前述したベース部材５１と同様に構成される。左右の支持部６１ｄには上端が開放されて支持部材６３を受容可能なＵ字状の支持溝６１ｒが形成されている。左右の支持部６１ｄの内面間隔は、遊技盤仮受け部材５２′における左右の支持受け部６２の外面間隔よりもわずかに大きく設定されている。
【０１２３】
遊技盤仮受け部材５２′は、支持面部５２ａ、逃げ部５２ｂ、揺動ヒンジ部５２ｃ、および支持面部５２ａの左右端部が直角に折り曲げられて下方に突出する支持受け部６２ｄなどからなり、支持受け部６２ｄの構成を除いて前述した遊技盤仮受け部材５２と同様に構成される。左右の支持受け部６２ｄの内面間隔はベース部５１ａの幅よりも幾分大きく設定されるとともに、各支持受け部６２ｄには支持部材６３を摺動可能に支持する長孔状の支持受け孔６２ｒが形成されている。
【０１２４】
支持部材６３は、全体として上辺の一部が開いた角形リング形態をなし、左右の支持溝６１ｒと係脱可能な支持バー部６３ａ、支持バー部の左右が直角に折り曲げられて平行に延びる支持脚部６３ｂ、左右支持脚部６３ｂの先端が支持バー部６３ａと平行に左右内側に屈曲された摺動軸部６３ｃなどから構成される。支持部材６３は、所定線径のみがき鋼棒を曲げ加工し所要の表面処理を施して構成される。
【０１２５】
遊技補助盤裏面の機構取付部１６には、前述同様の取付ボス１６ａ、位置決めピン１６ｐが突出成形されるとともに、収容枠１１の下方のリブには支持バー部６３ａの幅に合わせて凹状の切り欠き溝１６ｇが形成されている。
【０１２６】
遊技盤仮受け部材５２′は、前述同様に枢結ピン５５を利用してベース部材５１′に揺動可能に枢結され、支持部材６３は上辺を開くように弾性変形させて左右の摺動軸部６３ｃを左右の支持受け孔６２ｒに係合させる。そして、位置決め部５１ｂに形成された２カ所の位置決め孔５１ｐを、遊技補助盤１５側の位置決めピン１６ｐに嵌合させて位置決めし、ねじ孔にねじ５８を挿通させて取付ボス１６ａにねじ止めすることにより、部分組立体が所定位置に位置決め固定される。そして、このように構成された仮支持機構６０は、収容姿勢と仮支持姿勢とに変化させることができる。
【０１２７】
パチンコ機ＰＭが遊技に供される遊技時には、仮支持機構６０は図２０(A)に示す収容姿勢に保持される。この収容姿勢では、遊技盤仮受け部材５２′が枢結ピン５５を揺動軸として垂下し、左右の支持受け部６２ｄがそれぞれベース部５１ａの左右側方に収容される。また、支持部材６３は、長穴状に形成された支持受け孔６２ｒを利用して摺動軸部６３ｃが支持受け孔６２ｒの上方に移動し、支持バー部６３ａが遊技補助盤１５の下方のリブに形成された切り欠き溝１６ｇに収容される。このように仮支持機構６０はわずかな厚さおよび高さ寸法に折りたたむことができ、前枠２と裏セット盤３０との間にコンパクトに収容保持させることができる。
【０１２８】
上記収容姿勢から、仮支持姿勢に変化させるときには、図２０(B)に示すように、遊技盤仮受け部材５２′の下端部を引き出すようにして枢結ピン５５まわりに揺動させ、遊技盤仮受け部材５２′とともに引き上げられる支持部材６３の支持バー部６３ａを左右支持部６１ｄの支持溝６１ｒ内に導入する。そして、遊技盤仮受け部材５２′を下方に揺動させて、支持バー部６３ａを支持溝６１ｒの下端部に、摺動軸部６３ｃを支持受け孔６２ｒの後端部にそれぞれ係合させることで、仮支持機構６０が図２０(C)に示す仮支持姿勢に設定される。
【０１２９】
仮支持姿勢では、遊技盤仮受け部材５２′が前述した仮支持機構５０における遊技盤仮受け部材５２と同様の突出位置及び高さに配設され、前述同様に遊技盤２０を着脱して同様の効果を得ることができる。なお、左右の支持受け孔６２ｒの外側に位置する摺動軸部６３ｃにＥリング等を嵌着して位置ズレを防止する構成としてもてもよく、あるいは左右の摺動軸部６３ｃを図１５中に二点鎖線で示したカラー５３ｋのような部材で連結固定することも好ましい実施形態である。また支持バー部６３ａに左右支持部６１の内面間隔に合わせたカラー等を固設してもよい。
【０１３０】
次に、第３実施例の遊技盤の仮支持機構７０について説明する。図２１〜図２４に仮支持機構７０を示しており、まず、これらの図面を参照して仮支持機構７０の構成について説明する。なお、図２１は仮支持機構７０の構成を説明するための分解斜視図、図２２および図２３は仮支持姿勢にある仮支持機構７０を裏面側から見た背面図および平面図、図２４は仮支持機構７０における収容姿勢(A)と仮支持姿勢 (B)とを示す側断面図である。
【０１３１】
仮支持機構７０は、前枠２における遊技補助盤１５の裏面側にねじ固定されるベース部材７１、ベース部材７１の上部に揺動可能に枢支される遊技盤仮受け部材７２、ベース部材７１の下部に揺動可能に取り付けられて遊技盤仮受け部材７２を突出変位させた角度位置で支持する支持部材７３、および遊技盤仮受け部材７２に回動自在に取り付けられるローラ部材７４を主体として構成される。
【０１３２】
ベース部材７１は、基板となるベース部７１ａと、このベース部７１ａの上下中間部に前方に凸形状に成形された位置決め部７１ｂ、ベース部７１ａの上端中央部が切り欠かれて左右に２分割されるとともにその上端部がカーリング成型されて形成された固定ヒンジ部７１ｃ、ベース部７１ａの下端部が左右に張り出されその端部が直角に折り曲げられて後方に突出する支持部７１ｄなどからなる。
【０１３３】
ベース部７１ａにはベース部材７１を取り付けるための４カ所のねじ孔７１ｈが形成され、位置決め部７１ｂには前枠２に対するベース部材７１の左右方向位置を位置決めするための位置決め孔７１ｐ、カーリング成型された左右の固定ヒンジ部７１ｃには枢結ピン７５を受容して遊技盤仮受け部材７２を揺動可能に枢支する固定ヒンジ孔７１ｑ、左右の支持部７１ｄには支持部材７３を揺動可能に支持するための支持孔７１ｒがそれぞれ形成されている。ベース部材７１は、所定板厚の冷間圧延鋼板やステンレス鋼板等をパンチングやプレス成形等の公知の加工手段により図示する形状に成型し、必要に応じて所要の表面処理を行って構成する。
【０１３４】
遊技盤仮受け部材７２は、遊技盤２０を支持するベースとしての支持ベース部７２ａと、この支持ベース部７２ａから前方に延び固定ヒンジ部７１ｃの間隔に合わせて左右側部が切り落とされるとともにその前端部がカーリング成型された揺動ヒンジ部７２ｃ、支持ベース部７２ａの後端部が支持部材の線形に合わせてＵ字状に曲げ成型された支持受け部７２ｄ、支持ベース部７２ａの左右端部が直角に折り曲げられて上方に突出するローラ支持片部７２ｅなどからなる。左右の揺動ヒンジ部７２ｃには枢結ピン７５を受容して左右の固定ヒンジ部７１ｃに揺動可能に支持される揺動ヒンジ孔７２ｑが形成され、左右のローラ支持片部７２ｅにはローラ枢結ピン７７を受容してローラ部材７４を回動可能に支持するローラ支持孔７２ｓが形成されている。
【０１３５】
このように、固定ヒンジ部７１ｃおよび揺動ヒンジ部７２ｃをカーリング成型により構成して揺動機構を薄型に構成しているため、ベース部材７１を固定する取付ボス１６ａが遊技補助盤１５の前面側に突出することがなく、かつ遊技盤仮受け部材７２の揺動軸を収容枠１１の後方に突出させることなく収容枠の厚さ内に配設している。また、ベース部材における位置決め部７１ｂの突設位置は、図２４(A)に示すように、遊技盤仮受け部材７２を垂下させた収容姿勢において支持受け部７２ｄがこの位置決め部７１ｂの裏側（凹部）に収容されるように設定されている。なお、遊技盤仮受け部材７２は、ベース部材７１と同様の板材を用い同様の加工手段により形成される。
【０１３６】
ローラ部材７４は、左右のローラ支持片部７２ｅの内面間隔に合わせて形成された円筒状のローラであり、例えば、ポリアセタール樹脂やポリエチレン、硬質ウレタン等の樹脂材料を射出成形等の成形手段で図示するローラ状に形成し、あるいはアルミ合金等の金属棒材の軸心にローラ枢結ピン７５を挿通させる軸孔７４ａを穿孔して図示するローラ形状に形成する。ローラ部材７４は、仮支持機構７０が組み付けられ仮支持姿勢にされたときに、ローラ部材７４の頂部がヒンジ連結された状態における化粧板２１の下端面の高さ位置よりもわずかに高くなるように配設され、前後左右方向の配設位置が着脱操作角度にある化粧板２１の直下に位置するように設定されている。
【０１３７】
支持部材７３は、支持受け部７２ｄの支持受け溝７２ｒと係脱可能な支持バー部７３ａと、この支持バー部の左右が直角に折り曲げられて平行に延びる支持脚部７３ｂ、左右支持脚部７３ｂの先端側が支持バー部７３ａと平行にそれぞれ左右外方に屈曲され端部に雄ネジが形成されるとともにその基端側にフランジ部が設けられた揺動軸部７３ｃなどから構成される。支持部材７３は、左右の支持脚部７３ｂの内面間隔がベース部材７１や遊技盤仮受け部材７２の左右幅、枢結ピン７５，７７の全長よりも幾分大きく設定されている。支持部材７３は、例えば所定線径のみがき鋼棒の両端に旋削や転造等によりねじ部を形成したうえで図示する形状に曲げ加工し、必要に応じて所要の表面処理を施すとともに、両側の所定位置にワッシャをカシメ締結しあるいはスナップリング等を嵌着固定して構成する。
【０１３８】
ベース部材７１、遊技盤仮受け部材７２、支持部材７３およびローラ部材７４は、それぞれ枢結ピン７５、ローラ枢結ピン７７およびナット５７等を利用して組み立てられる。すなわち、遊技盤仮受け部材７２は、ベース部材７１の左右の固定ヒンジ部７１ｃの間に揺動ヒンジ部７２ｃを嵌挿して、固定ヒンジ孔７１ｑと揺動ヒンジ孔７２ｑとを連通させ、これらの孔部を貫通するように枢結ピン７５挿通させ、突出した先端側にＥリング７６を嵌着することで固定ヒンジ部７１ｃに揺動自在に枢結される。ローラ部材７４も同様に軸孔７４ａを左右のローラ支持孔７２ｓに位置合わせしてローラ枢結ピン７７を挿通させ、突出した先端側にＥリング７８を嵌着することでローラ支持片部７２ｅに回動自在に枢結される。また、支持部材７３は、左右支持脚部７３ｂ，７３ｂの間隔を狭めるように弾性変形させて、先端の雄ネジ部を左右の支持孔７１ｒ，７１ｒに挿通させ、突出した端部にナット５７，５７を螺合させることで支持部７１ｄ，７１ｄに揺動可能に支持される。
【０１３９】
一方、遊技補助盤１５の裏面側には、上記のように部分組立された仮支持機構７０を取り付けるための機構取付部１７が設けられている。機構取付部１７には、遊技補助盤１５から裏面方向に突出する壁面により枠状の凹部を形成し、位置決め部７１ｂと係合してベース部材７１の上下方向位置および角度姿勢を規定する係合枠１７ｂが形成され、この係合枠内に位置決め孔７１ｐと係合してベース部材７１の左右位置を規定する位置決めピン１７ｐが形成されている。また、この係合枠１７ｂの上下にはベース部７１ａに形成された４カ所のねじ孔７１ｈと位置整合するねじ受容部を有した円筒状の取付ボス１７ａが突出成型されている。
【０１４０】
このため、作業者がベース部材７１の位置決め部７１ｂを係合枠１７ｂに係合させ、位置決め孔７１ｐを位置決めピン１７ｐに嵌合させることでベース部材７１が位置決めされ、各ねじ孔７１ｈにねじ５８を挿通させて取付ボス１７ａにねじ止めすることにより、ベース部材７１を含む部分組立体が遊技補助盤１５の所定位置に位置決め固定される。そして、このように構成された仮支持機構７０は、図２４(A)(B)に示す収容姿勢と仮支持姿勢とに変化させることができる。
【０１４１】
パチンコ機ＰＭが遊技に供される遊技時には、仮支持機構７０が図２４(A)に示す収容姿勢に保持される。この収容姿勢では、遊技盤仮受け部材７２が枢結ピン７５を揺動軸として垂下し、先端の支持受け部７２ｄが位置決め部７１ｂの裏側の凹部に収容される。ここで、支持部材６３においては、左右の支持脚部７３ｂの内面間隔を枢結ピン７５やローラ枢結ピン７７の全長よりも幾分大きく設定しており、また支持脚部７３ｂは、仮支持姿勢を表す図２４(B)からも明らかなように、ベース部材７１と遊技盤仮受け部材７２と支持部材７３とで形成する直角三角形の斜辺に相当する。このため、支持部材７３は揺動軸部７３ｃを中心に前方に揺動させたときに、左右の支持脚部７３ｂがベース部７１および遊技盤仮受け部材７２の左右側方を通過可能であり、また先端の支持バー部７３ａは枢結ピン７５の上方を通過して遊技補助盤１５の裏面に当接するまで揺動させることができる。従って、仮支持機構７０は、図２４(B)に示すように、わずかな厚さおよび高さ寸法に折りたたむことができ、前枠２と裏セット盤３０との間にコンパクトに収容保持させることができる。
【０１４２】
上記のような収容姿勢から仮支持姿勢に変化させるときには、支持バー部７３ａを手前に引き出すように支持部材７３を揺動変位させ、遊技盤仮受け部材７２を枢結ピン５５まわりに上方に揺動させて、支持バー部７３ａを支持ベース部７２ａの下方に位置させる。次いで遊技盤仮受け部材７２を下方に揺動させて支持バー部７３ａを支持ベース部７２ａの下面に当接させ、支持バー部７３ａを後方に移動させて支持受け溝７２ｒに係合させる。これにより仮支持機構７０が図２４(B)に示すような仮支持姿勢に設定される。
【０１４３】
仮支持姿勢では、遊技盤仮受け部材７２が収容枠１１の裏面方向に突出した状態で係止され、ローラ部材７４の頂部がヒンジ連結された状態における化粧板２１の下端面の高さ位置よりもわずかに高い位置に配設される。支持部材７３は支持受け部７２ｄと支持部７１ｄとの間を繋ぐ梁として機能し、支持ベース部７２ａに上方から作用する荷重に抗して、遊技盤仮受け部材７２を仮支持姿勢に保持させる。支持バー部７３ａは支持受け部７２ｄの全幅にわたって支持受け溝７２ｒに係合保持され、ローラ部材７４に作用する荷重をこの係合部全体で支持する。また本構成の仮支持機構７０ではベース部材７１と遊技盤仮受け部材７２との揺動機構として枢結ピン７５との係合長さが長い蝶番類似の構成としている。このため、遊技盤仮受け部材７２に大きな荷重が作用しても枢結部や係合部に損傷が生じたりねじれが生じたりすることがなく、耐荷重の大きな仮支持機構となっている。
【０１４４】
さて、このようにして仮支持姿勢に設定された仮支持機構７０の作用について説明する。なお、遊技盤２０の着脱操作については第１実施例の仮支持機構５０について既述しており、その操作の大半が同様であるため、ここでは、遊技盤２０を収容枠１１から取り外す場合についてのみ簡潔に説明する。
【０１４５】
作業者は、既述した前枠開放保持機構１５０および裏セット盤開放保持機構１６０を利用して前枠２および裏セット盤３０を図４に示すように開放保持させ、仮支持機構７０を仮支持状態に設定した状態で、閉鎖クランプ１４による遊技盤２０の閉止状態を解除させ、化粧板２１の上縁部に指をかけて遊技盤２０を手前に引き出し、遊技盤２０を着脱操作角度まで開放させて化粧板２１の下面をローラ部材７４に仮支持させる。ローラ部材７４はその頂部の高さ位置がヒンジ連結された状態における化粧板２１の下端面の高さ位置よりもわずかに高く配設されているが、ローラ部材７４の回動作用により円滑にローラ面に乗り上げるようにしてローラ部材７４に支持される。
【０１４６】
次いで、作業者は遊技盤２０を搬出するのに適宜な部位、例えば化粧板２１の左右側縁部を把持し、遊技盤２０を左斜め後方に引き出すようにスライド移動させ、あるいは、ローラ部材７４を支点として遊技盤２０を左傾させて、揺動ヒンジ部材４２，４３と揺動ヒンジ係合部２２，２３との嵌合接続を解除させる。そして、遊技盤２０を図４中に二点鎖線で示すように斜めに引き出し、遊技盤２０を収容枠１１から取り外す。
【０１４７】
従って、このような遊技盤の仮支持機構７０によれば、大型かつ重量物の遊技盤であっても、熟練者によることなく容易に着脱作業することができる。また、仮支持機構７０では、この機構を使用するときに遊技盤仮受け部材７２を遊技盤２０の着脱方向に突出変位させ、この機構を使用しないときに前枠２と裏セット盤３０との間に収容させる形態のため、収容枠１１を後方に延出させるような機構に比べて使用時における遊技盤仮受け部材７２の突出量を大きく取って着脱作業を容易化することができるとともに、前枠または裏セット盤の厚さを増加させることなくコンパクトに構成することができる。
【０１４８】
なお、以上説明した第１実施例から第３実施例の仮支持機構５０，６０，７０では、各機構の構成部分を適宜組み合わせて構成することができる。例えば、第１実施例の支持バー部５３ａにこの軸まわりに回動可能なローラ部材を付設するとともに、支持面部５２ａにローラ部材の頂部を突出させる孔部を形成し、仮支持姿勢において遊技盤の開放角度に応じて支持面部またはローラ部材で遊技盤を支持するように構成してもよい（図２１中の二点鎖線を参照）。また、第３実施例の遊技盤仮受け部材７２にローラ部材７４を設けずに、第１実施例の遊技盤仮受け部材５２のように逃げ部５２ｂおよび支持受け部５２ａを設けて支持面部で遊技盤を支持するように構成してもよい。
【０１４９】
また、第１実施例から第３実施例の仮支持機構５０，６０，７０では、遊技盤仮受け部材５２，６２，７２がベース部材５１，６１，７１を介して揺動可能に支持されるともに、支持部材５３，６３，７３がベース部材に形成された支持部に支持される構成を例示したが、ベース部材を用いることなく、遊技盤仮受け部材を遊技補助盤に直接的に揺動可能に支持させ、あるいは支持部材の支持部を遊技補助盤に形成する構成とすることもできる。
【０１５０】
次に、第４実施例の遊技盤の仮支持機構８０について説明する。図２５〜図２８に仮支持機構８０を示しており、これらの図面を参照して仮支持機構８０について説明する。なお、図２５は仮支持機構８０の構成を説明するための分解斜視図、図２６〜図２８はそれぞれ仮支持姿勢にある仮支持機構８０の側面図（部分側断面図）、背面図および平面図である。
【０１５１】
仮支持機構８０は、前枠２における遊技補助盤１５の裏面側にねじ固定されるベース部材８１、ベース部材８１に水平旋回可能かつ上下方向（軸の延びる方向）に摺動可能に支持される支軸８２、支軸８２の上端部に結合された遊技盤仮受け部材８３、支軸８２に設けられた雌ネジ部８２ａに螺合されベース部８１に形成された係止溝８１ｓに沿って移動可能に取り付けられたサムスクリュー８５などから構成される。
【０１５２】
ベース部材８１は、左右のベース部８１ａと、左右のベース部８１ａの間に支軸８２の軸径に合わせて円筒面状に曲げ加工され上下に延びる軸支持部８１ｂを主として構成され、左右ベース部８１ａの所定位置にはベース部材８１を固定するためのねじ孔８１ｈが形成され、軸支持部８１ｂにはサムスクリュー８５を案内するためにＬ字状に溝加工された係止溝８１ｓが形成されている。
【０１５３】
係止溝８１ｓにおける水平溝部の溝幅はサムスクリューの雄ネジ部よりもわずかに大きめに設定されている。一方、上下に延びる鉛直溝部の溝幅は遊技盤仮受け部材８３を収容させた角度位置から遊技盤仮受け部材の上端面（支持面部８３ａ）が収容枠１１の下端面に当接しない角度位置まで旋回できるように、雄ネジ部が鉛直溝部内を左右に旋回できるように設定されている。ベース部材８１は所定板厚の金属板を公知の加工手段を用いて図示する形状に成型し、必要に応じて所要の表面処理を行って構成する。
【０１５４】
支軸８２は、所定外径の金属パイプをベースとして構成され、所定の軸方向位置にパイプを貫通して雌ネジ部８２ａが形成されている。支軸８２の上端部には雌ネジ部８２ａの軸線に対して所定のラジアル方向角度（例えば雌ネジ部の軸線と遊技盤仮受け部材の延びる方向の相対角度が４５度）となるように、遊技盤仮受け部材８３が固着される。なお、図２５では雌ネジ部８２ａを表すためにベース部材８１の一部を破断して表示している。
【０１５５】
遊技盤仮受け部材８３は、遊技盤２０を支持する支持面部８３ａと、この支持面部８３ａから前方に延びるとともに下方にオフセット成形された逃げ部８３ｂから構成される。支持面部８３ａは、遊技盤仮受け部材８３が後述する仮支持姿勢に係止されたときに、支持面部８３ａの上面がヒンジ連結された状態の化粧板２１の下端面の高さ位置と同一もしくはわずかに高くなるように形成され、左右方向の配設位置および前後方向への突出位置は着脱操作角度にある化粧板２１の配設位置に合わせて設定されている。逃げ部８３ｂには支軸８２の内径と略同径の円孔が形成されており、この円孔の上方から支軸８２に段付プラグ状の固定部材を圧入する等の手段により、図示するように遊技盤仮受け部材８３が支軸８２の上端部に上記所定角度をもって固着される。なお、支持面部８３ａと逃げ部８３ｂとの間には、支持面部８３ａに作用する荷重によって遊技盤仮受け部材８３が撓み変形しないように、剛性を向上させるリブ８３ｃがプレス成形されている。
【０１５６】
一方、遊技補助盤１５の裏面側には、仮支持機構８０を取り付けるための機構取付部１８が形成されている。機構取付部１８には、支軸８２の外周面に合わせた支持面を有して上下に延びる支持レール部１８ｂ、ベース部８１ａに形成されたねじ孔８１ｈと位置整合するねじ受容部を有した円筒状の取付ボス１８ａが突出成型されている。また、収容枠１１にはこの機構取付部１８の右方（固定ヒンジ１２，１３側）に位置して収容枠１１から後方に突出する第２支持面部１８ｔが形成されている。
【０１５７】
このように構成される各部材の組み付けに当たっては、ベース部材８１の軸支部８１ｂに支軸８２を係合させ、支軸８２の円筒外周面を支持レール部１８ｂに支持させるようにベース部材８１および支軸８２を機構取付部１８に配設する。次いでベース部材８１の４カ所のねじ孔１８ｈを位置決めボス１８ａと位置合わせし、裏面側からねじ５８を挿通させてねじ止めする。そして、サムスクリュー８５の雄ネジ部を係止溝８１ｓを通して支軸８２の雌ネジ部８２ａに螺合締結させることで、サムスクリュー８５がこの係止溝８１ｓに沿って移動する範囲内で支軸８２および遊技盤仮受け部材８３の上下および回転移動が許容され、サムスクリュー８５を締め込むことで支軸８２が当該位置でベース部材８１に係止保持される。
【０１５８】
以上のようにして構成される仮支持機構８０では、サムスクリュー８５を緩めて支軸８２を上下動および回転動させることで、遊技盤仮受け部材８３を各図に実線で示す仮支持姿勢と、二点鎖線で付記する収容姿勢とに変化させることができる。
【０１５９】
すなわち、サムスクリュー８５を緩めて係止溝８１ｓに沿って支軸８２を上動させ、この係止溝８１ｓの上端位置から水平に延びる水平溝部に沿って支軸８２を右方向に水平旋回させることで、支持面部８３ａが水平旋回されて遊技補助盤１５の後方（すなわち遊技盤２０の着脱方向）に突出し、この位置でサムスクリュー８５を締め込むことで遊技盤仮受け部材８３が仮支持姿勢に保持される。仮支持姿勢では、遊技盤仮受け部材の支持面部８３ａに遊技盤２０（化粧板２１）を仮支持させることができ、この仮支持姿勢において既述した仮支持機構５０，６０と同様に遊技盤２０を容易に着脱することができる。
【０１６０】
遊技盤２０の着脱作業が終了した後には、サムスクリュー８５を緩めて遊技盤仮受け部材８３を左方向に水平旋回させ、サムスクリュー８５の雄ネジ部が係止溝８１ｓの鉛直溝部にかかる位置まで旋回させ、下方にスライド移動させて下端位置まで移動させる。この下端位置では支持面部８３ａが収容枠１１の下面よりも低く位置し、この下端位置で左回りに旋回させることで各図に二点鎖線で示すように遊技盤仮受け部材８３が収容枠１１の下部に収容され、この位置でサムスクリュー８５を締め込むことで収容姿勢に保持される。
【０１６１】
従って、このような遊技盤の仮支持機構８０によれば、大型かつ重量物の遊技盤であっても、熟練者によることなく容易に着脱作業することができる。また、仮支持機構８０では、この機構を使用するときに遊技盤仮受け部材８３を旋回させることで遊技盤２０の着脱方向に突出変位させ、この機構を使用しないときに前枠２と裏セット盤３０との間に収容させる形態のため、遊技盤仮受け部材８３を適宜大型化することが可能であり、使用時における遊技盤仮受け部材８３の突出量を大きく取って着脱作業を容易化することができるとともに、前枠または裏セット盤の厚さを増加させることなくコンパクトに構成することができる。
【０１６２】
なお、本実施例における機構取付部１８には収容枠１１から後方に突出する第２支持面部１８ｔが形成されており、遊技盤２０を取り外すときのように細かい位置決め操作を必要としない場合などには、仮支持機構８０を収容姿勢にしたまま第２支持面部１８ｔのみを利用して遊技盤２０の取り外し作業を行うことも可能である。なお、本実施例では係止溝８１ｓをＬ字状に形成した例を示したが、係止溝８１ｓは仮支持姿勢において上方から作用する荷重を支持可能な水平部を有し、収容姿勢において遊技盤仮受け部材８３を収容枠１１の下部に位置させるように構成されていればよく、例えば左右に延びる水平部と斜めに延びる斜面部とを設けてスロープ状に形成してもよい。
【０１６３】
次に、第５実施例の遊技盤の仮支持機構９０について、図２９および図３０を参照して説明する。この仮支持機構９０は前述した仮支持機構８０と同様に上下摺動および回転動が可能な支軸および遊技盤仮受け部材を有し、支軸を上動および回動させることで遊技盤仮受け部材を仮支持姿勢と収容姿勢とに変位させる仮支持機構である。なお、図２９は仮支持姿勢にある仮支持機構９０の背面図および同機構における係止溝の部分拡大図、図３０は仮支持姿勢にある仮支持機構９０の側面図（部分側断面図）および部分拡大図である。
【０１６４】
仮支持機構９０は、遊技補助盤１５の裏面側にねじ固定されるベース部材９１、ベース部材９１に水平旋回可能かつ上下方向（軸の延びる方向）に摺動可能に支持される支軸９２、支軸９２の上端部に結合された遊技盤仮受け部材９３、遊技盤仮受け部材９３の先端側と支軸９２の下端部との間に張り渡された支柱９４、支軸９２に設けられた雌ネジ部に螺合されベース部９１に形成された係止溝９１ｓに沿って移動可能に取り付けられたボルト９５、支軸９２の上部に支軸の外周を取り巻くように配設されて上下方向に付勢力を発生するコイルバネ９６、支軸９２に挿通されてコイルバネ９６の下端面を支持するワッシャ９７などから構成される。
【０１６５】
ベース部材９１は、左右のベース部９１ａと、左右のベース部９１ａの間に支軸９２の軸径に合わせて円筒面状に曲げ加工され上下に延びる軸支持部９１ｂを主として構成され、左右ベース部９１ａの所定位置には前枠２に対するベース部材９１を位置決めするための２カ所の位置決め孔９１ｐおよびベース部材９１を固定するための４カ所のねじ孔が形成され、軸支持部９１ｂにはボルト９５の雄ネジ部を案内するために雄ネジ部の外径よりも幾分大きめの溝幅でコの字状に溝加工された係止溝９１ｓが形成されている。ベース部材９１は所定板厚の金属板を公知の加工手段を用いて図示する形状に成型し、必要に応じて所要の表面処理を行って構成する。
【０１６６】
支軸９２は、所定外径の金属パイプをベースとして構成され、所定の軸方向位置にパイプを貫通して雌ネジ部９２ａが形成されている。遊技盤仮受け部材９３は、遊技盤２０を支持する支持面部９３ａ、この支持面部９３ａから前方に延びるとともに下方にオフセット成形された逃げ部９３ｂ、支持面部の後端が下方に直角に折り曲げられて形成された支持受け部９３ｄなどから構成される。遊技盤仮受け部材９３は、例えば逃げ部９３ａに支軸９２の外径と略同一径の円孔を形成し、この円孔に支軸９２を挿通させて、支持面部の延びる方向をねじ孔部９２ａの軸線と同一方向合わせた状態で、カシメやスポット溶接の手段により支軸９２の上端部に固着される。
【０１６７】
なお、支持面部９３ａは、遊技盤仮受け部材９３が後述する仮支持姿勢に係止されたときに支持面部９３ａの上面がヒンジ連結された状態の化粧板２１の下端面の高さ位置と同一もしくはわずかに高くなるように形成され、左右方向の配設位置および前後方向への突出位置は着脱操作角度にある化粧板２１の配設位置に合わせて設定されている。また、支持面部９３ａと逃げ部９３ｂとの間には、支持面部９３ａに作用する荷重に対する抗力を向上させるリブ９３ｃがプレス成形されている。
【０１６８】
支柱９４は支柱部と、この支柱部の両端が平坦にプレスされて形成されたタブ部とからなり、上下のタブ部が平行になるように折り曲げられるとともに、上方のタブ部にボルトを螺合させる雌ネジが形成され、下方のタブ部にボルトを挿通させる円孔が穿設されて構成されている。
【０１６９】
一方、遊技補助盤１５の裏面側には、仮支持機構９０を取り付けるための機構取付部１９が形成されている。機構取付部１９には、支軸９２の外周面に合わせた支持面を有して上下に延びる支持レール部１９ｂ、ベース部９１ａに形成された２カ所の位置決め孔９１ｐと係合してベース部材９１の位置を規定する位置決めピン１９ｐ、およびベース部材９１が位置決めされたときにベース部９１ａに形成された４カ所のねじ孔と位置整合するねじ受容部を有した円筒状の取付ボス１９ａが突出成型されている。
【０１７０】
このように構成される各部材の組み付けに当たっては、支軸９２の下端からコイルバネ９６およびワッシャ９７を挿通させ、ワッシャ９７を軸支部９１ｂの上方に位置させるようにベース部材９１に支軸９２を係合させ、このように係合させた状態のままベース部材９１および支軸９２を機構取付部１９に配設して支軸９２の前面側を支持レール部１９ｂに支持させる。次いでベース部材９１の２カ所の位置決め孔９１ｐを位置決めピン１９ｐに嵌合させて位置決めし、４カ所のねじ孔１９ｈにねじ５８を挿通して位置決めボス１９ａにねじ止めする。
【０１７１】
次に、支柱９４の上端のタブ部を遊技盤仮受け部材９３の支持受け部９３ｄにねじ止めし、ボルト９５の雄ネジ部を支柱下端のタブ部における円孔、および軸支持部９１ｂに形成された係止溝９１ｓを通して支軸９２の雌ネジ部９２ａに螺合締結させる。これにより、ボルト９５がこの係止溝９１ｓに沿って移動可能な範囲内で支軸９２（および遊技盤仮受け部材９３並びに支柱９４）の上下および回転移動が許容され、ボルト９５を締め込むことで支軸９２が当該位置でベース部材９１に係止保持される。
【０１７２】
以上のようにして構成される仮支持機構９０では、ボルト９５を緩めて支軸９２を上下動および回転動させることで、遊技盤仮受け部材９３を各図に実線で示す仮支持姿勢と、図２９中に二点鎖線で付記する収容姿勢とに変化させることができる。
【０１７３】
すなわち、図２９に二点鎖線で示す収容姿勢から、ボルト９５を緩めて支柱９４を手前に引き出すように支軸９２を左方向に旋回させると、ボルト９５の雄ネジ部が係止溝９１ｓの水平溝部に沿って移動し雄ネジ部が上下方向に延びる溝部に到達するまで遊技盤仮受け部材９３が水平旋回される。ボルト９５の雄ネジ部が上下に延びる溝部に到達すると、コイルバネ９６の付勢力によって支軸９２が上動され、係止溝９１ｓの上縁まで移動される。遊技盤仮受け部材９３と支柱９４はこの支軸９２の移動に伴って支軸９２とともに上動される
【０１７４】
次いで、この上端位置から右方に延びる水平溝部に沿って支軸９２を右方向に旋回させると、支持面部９３ａが遊技補助盤１５の盤面に直交して後方に突出する仮支持姿勢に位置し、この位置でボルト９５を締め込むことで遊技盤仮受け部材９３が仮支持姿勢に保持される。この仮支持姿勢では、遊技盤仮受け部材の支持面部９３ａに遊技盤２０（化粧板２１）を仮支持させることができ、既述した仮支持機構５０，６０と同様に遊技盤２０を容易に着脱することができる。
【０１７５】
遊技盤２０の着脱作業が終了した後には、ボルト９５を緩めて遊技盤仮受け部材９３を左方に水平旋回させ、雄ネジ部が係止溝９１ｓの水平溝部の左端位置に至るまで旋回させた後に、支持面部９３を上方から押圧して上下に延びる溝部に沿って下方にスライド移動させ、下端位置から右方に延びる水平溝に沿って水平旋回させることで、図２９に二点鎖線で示すように遊技盤仮受け部材９３が収容枠１１の下部に収容され、この位置でボルト９５を締め込むことで収容姿勢に保持される。
【０１７６】
従って、このような遊技盤の仮支持機構９０によれば、大型かつ重量物の遊技盤であっても、熟練者によることなく容易に着脱作業することができる。また、仮支持機構９０では、この機構を使用するときに遊技盤仮受け部材９３を旋回させて遊技盤２０の着脱方向に突出変位させ、この機構を使用しないときに前枠２と裏セット盤３０との間に収容させる形態のため、遊技盤仮受け部材９３を適宜大型化することで使用時における遊技盤仮受け部材９３の突出量を大きく取って着脱作業を容易化することができるとともに、前枠または裏セット盤の厚さを増加させることなくコンパクトに構成することができる。
【０１７７】
また、仮支持機構９０では支柱９４により遊技盤仮受け部材９３の先端部を支持する構成のため、比較的重量がある遊技盤でも遊技盤仮受け部材９３が撓んだり変形したりすることがなく、安定して遊技盤を仮支持することができる。さらに本機構では、コイルバネ９６により遊技盤仮受け部材９３を上方に付勢配設する構成のため、操作性が良好な仮支持機構を提供できるとともに、遊技中などにボルト９５の締め込みが緩んだような場合であっても振動等を生じさせることがない仮支持機構を提供することができる。
【０１７８】
なお、実施例では遊技盤２０が揺動ヒンジ部材２２，２３と固定ヒンジ部材１２，１３とで構成されるヒンジ機構により収容枠１１に横開き開閉可能に支持される例を開示したが、遊技盤についてヒンジ機構を有しない遊技機であっても同様に構成することができ、仮支持機構５０〜９０を利用して遊技盤を仮支持させることで、収容枠に対する細かい位置合わせを行い、あるいは搬出しやすい部位を把持して容易に遊技盤の着脱作業を行うことができる。
【０１７９】
また、実施例では遊技盤仮受け部材において遊技盤を支持する支持面部を平坦に形成した例を開示したが、支持面部の後端側に上方に突出するストッパ部を設けてもよい。このような構成では遊技盤の取り外し作業中に急に遊技盤が滑り出たような場合でもストッパ部で遊技盤を受け止め、より効果的に遊技盤の落下を防止することができる。さらに、各実施例は仮支持機構を遊技補助盤の裏面側に一カ所設けた例を示したが遊技盤の開閉形態等に応じて複数設ける構成としてもよい。
【０１８０】
さらに、各実施例では収容枠１１が前枠２の裏面側に形成され、遊技盤２０が前枠２の裏面側から着脱される前枠後方着脱形態のパチンコ機ＰＭを例に説明したが、本発明はかかる着脱形態に限るものではなく、例えば、ガラス扉を開いた状態で前枠の正面側から遊技盤を着脱する形態（前枠前方着脱形態）の遊技機の場合には、同様の開閉着脱機構および仮支持機構を前枠の前面側に設けることで同様に構成し同様の効果を得ることができる。また、遊技盤が裏セット盤の前面側または裏面側に着脱可能に支持される形態（裏機構前方着脱形態または裏機構後方着脱形態）の遊技機では、これらの機構を裏セット盤の前面側または裏面側に設けることで同様に構成することができる。
【０１８１】
【発明の効果】
以上説明したように、本発明は、所定のゲージ設定に形成された遊技領域がガラス扉に臨むように配設される遊技盤を備え、遊技球を遊技領域に打ち出して遊技を行う遊技機において、前枠または前枠の裏側に配設される裏機構部材に固定された固定ヒンジ部材と、一端に固定ヒンジ部材と相対揺動可能に連結するヒンジ係合部が形成され他端に遊技盤と嵌脱可能に係合する遊技盤係合部が形成された揺動ヒンジ部材とを備え、ヒンジ係合部が固定ヒンジ部材に連結され遊技盤係合部に遊技盤が嵌合接続されて、遊技盤が前枠または裏機構部材に開閉可能な開閉着脱機構が構成されるとともに、遊技盤の開閉方向には前枠または裏機構部材に配設されて遊技盤を開いた状態で当該遊技盤を仮支持可能な遊技盤仮受け部材が設けられ、遊技盤を遊技盤仮受け部材に仮支持させた状態で遊技盤と遊技盤係合部とを嵌脱可能に構成されて遊技盤着脱補助機構が構成される。
【０１８２】
このような構成の遊技盤着脱補助機構では、遊技盤を所定の角度位置に開放させて一旦仮受け部材に仮支持させた状態で、作業に適宜な位置に把持しなおして遊技盤の着脱を行うことができるため、遊技盤の装着時には細かい位置合わせを容易に行うことができ、遊技盤の取り外し時には無理な姿勢をとることなく両手で遊技盤を取り外すことができる。また、作業中に遊技盤を支持していなくとも遊技盤が急に滑り出て落下させてしまうようなこともないため、熟練作業者でなくとも容易に盤面交換を行うことができる。さらに、揺動ヒンジ部材と遊技盤とが嵌脱可能に係合する構成のため、揺動ヒンジ部材を固定ヒンジ部材に係合連結させておくことで個々の遊技盤に揺動ヒンジ部材を配設する必要がなく、遊技盤の製作コストや盤面交換時の必要コストを低減可能であるとともに、遊技盤単体の取扱時に誤って揺動ヒンジ部材をぶつけて変形させてしまうようなことがない。従って、以上のような遊技盤着脱補助機構を設けることにより、遊技盤の着脱作業を容易化して作業性を向上させた遊技機を提供することができる。
【図面の簡単な説明】
【図１】本発明に係る遊技盤着脱補助機構を備える遊技機の一例として示すパチンコ機の正面図である。
【図２】上記パチンコ機の裏面側を示す背面図である。
【図３】上記パチンコ機における裏セット盤を取り外した状態の前枠の背面図である。
【図４】前枠開放保持機構および裏セット盤開放保持機構の作用を示す平面図である。
【図５】前枠開放保持機構の構成を示す背面図である。
【図６】第１実施例の開閉着脱機構（上部開閉機構）および第２実施例の開閉着脱機構（下部開閉機構）の構成を説明するための分解斜視図である。
【図７】嵌合接続前の状態にある第１実施例の開閉着脱機構の背面図である。
【図８】第１実施例の開閉着脱機構の嵌合接続状態を示す背面図である。
【図９】第２実施例の開閉着脱機構の嵌合接続状態を示す背面図である。
【図１０】図８中のX矢視方向に見た第１実施例の開閉着脱機構の平断面図である。
【図１１】嵌合接続前の状態にある第１実施例の開閉着脱機構の平面図である。
【図１２】嵌合接続前の状態にある第２実施例の開閉着脱機構の平面図である。
【図１３】第３実施例の開閉着脱機構の構成を説明するための分解斜視図である。
【図１４】第４実施例の開閉着脱機構構成を説明するための分解斜視図である。
【図１５】第１実施例の仮支持機構の構成を説明するための分解斜視図である。
【図１６】収容姿勢にある第１実施例の仮支持機構を裏面側から見た背面図である。
【図１７】第１実施例の仮支持機構の収容姿勢(A)〜中間状態(B)〜仮支持姿勢 (C)にわたる変化を示す説明図（側断面図）である。
【図１８】仮支持姿勢にある第１実施例の仮支持機構を裏面側から見た背面図である。
【図１９】仮支持姿勢にある第１実施例の仮支持機構を上方から見た平面図（部分断面図）である。
【図２０】第２実施例の仮支持機構における収容姿勢(A)〜中間状態(B)〜仮支持姿勢 (C)にわたる変化を示す説明図（側断面図）である。
【図２１】第３実施例の仮支持機構の構成を説明するための分解斜視図である。
【図２２】仮支持姿勢にある第３実施例の仮支持機構を裏面側から見た背面図である。
【図２３】仮支持姿勢にある第３実施例の仮支持機構を上方から見た平面図である。
【図２４】第３実施例の仮支持機構における収容姿勢(A)と仮支持姿勢 (B)とを示す説明図（側断面図）である。
【図２５】第４実施例の仮支持機構の構成を説明するための分解斜視図である。
【図２６】仮支持姿勢にある第４実施例の仮支持機構の側面図（部分断面図）である。
【図２７】仮支持姿勢にある第４実施例の仮支持機構の背面図である。
【図２８】仮支持姿勢にある第４実施例の仮支持機構の平面図である。
【図２９】仮支持姿勢にある第５実施例の仮支持機構の背面図である。
【図３０】仮支持姿勢にある第５実施例の仮支持機構の側面図（部分断面図）である。
【符号の説明】
Ｂ１  メイン基板
Ｂ２  発射装置制御基板
Ｂ３  球払出制御基板
Ｂ４  ランプ・音声制御基板
Ｂ５  電源基板
ＰＡ  遊技領域
ＰＭ  パチンコ機
ＳＢ  遊技島
１  外枠
２  前枠
３ａ，３ｂ  ヒンジ機構
４  施錠装置
５  ガラス扉
６  上球皿
７  下球皿
８  操作ハンドル
９  打球発射装置
１１  収容枠
１２  固定ヒンジ部材
（１２ａ  ベース部、１２ｂ  第１支持部、１２ｃ  第２支持部、１２ｄ  支軸孔、１２ｅ  裏セットヒンジピン）
１３  固定ヒンジ部材
（１３ａ  ベース部、１３ｂ  第１支持部、１３ｃ  第２支持部、１３ｄ  ヒンジピン、１３ｅ  裏セットヒンジピン）
１４ａ，１４ｂ，１４ｃ  閉鎖クランプ
１５  遊技補助盤
１６  機構取付部
（１６ａ  取付ボス、１６ｃ  切り欠き部、１６ｐ  位置決めピン、
１６ｇ  切り欠き溝）
１７  機構取付部
（１７ａ  取付ボス、１７ｂ  位置決め枠、１７ｐ  位置決めピン）
１８  機構取付部
（１８ａ  取付ボス、１８ｂ  支持レール、１８ｔ  第２支持面部）
１９  機構取付部
（１９ａ  取付ボス、１９ｂ  支持レール、１９ｐ  位置決めピン）
２０  遊技盤
２１  化粧板
２２  揺動ヒンジ係合部
（２２ｆ  被挟持部、２２ｇ  受容係合口、２２ｓ  逃げ面）
２３  揺動ヒンジ係合部
（２３ｆ  被挟持部、２３ｇ  受容係合口、２３ｓ  逃げ面）
２４  案内レール（２４ａ  外レール、２４ｂ  内レール）
２５ａ，２５ｂ  風車
２６  入賞具
（２６ａ  一般入賞具、２６ｂ  始動入賞具、２６ｃ  アタッカー）
２７  アウト口
２８  図柄表示装置
３０  裏セット盤
３１  基枠体（３１ｗ  窓口）
３２，３３  裏セット盤揺動ヒンジ部材
３４  閉鎖レバー
３５  タンク部材
３６  整列樋部材
３７  賞球待機通路
３８  球払出装置
３９  賞球払出経路
４０  開閉着脱機構
４０Ａ  開閉着脱機構（第１実施例）
４０Ｂ  開閉着脱機構（第２実施例）
４０Ｃ  開閉着脱機構（第３実施例）
４０Ｄ  開閉着脱機構（第４実施例）
４２  揺動ヒンジ部材
（４２ｂ  アーム部、４２ｄ  ヒンジ係合孔、４２ｆ  挟持係合部、４２ｇ  弾性係合片、４２ｓ  角度規定部）
４３  揺動ヒンジ部材
（４３ｂ  アーム部、４３ｄ  ヒンジ係合孔、４３ｆ  挟持係合部、４３ｈ  側端係合片、４３ｉ  導入片、４３ｓ  角度規定部）
４４ａ  ボルト
４４ｂ  ナット
４４ｃ  ワッシャ
４４ｄ  ワッシャ
５０  仮支持機構（第１実施例）
５１  ベース部材
（５１ａ  ベース部、５１ｂ  位置決め部、５１ｃ  固定ヒンジ部、  ５１ｄ  支持部、５１ｈ  ねじ孔、５１ｐ  位置決め孔、  ５１ｑ  固定ヒンジ孔、５１ｒ  支持孔）
５２  遊技盤仮受け部材
（５２ａ  支持面部、５２ｂ  逃げ部、５２ｃ  揺動ヒンジ部、５２ｄ  支持受け部、５２ｑ  揺動ヒンジ孔、５２ｒ  支持受け孔、５２ｓ  切り欠き部）
５３  支持部材
（５３ａ  支持バー部、５３ｂ  支持脚部、５３ｃ  揺動軸部）
５５  枢結ピン
５６  Ｅリング
５７  ナット
５８  ねじ
６０  仮支持機構（第２実施例）
５１′  ベース部材（６１ｄ  支持部、６１ｒ  支持溝）
５２′  遊技盤仮受け部材（６２ｄ  支持受け部、６２ｒ  支持受け孔）
６３  支持部材（６３ａ  支持バー部、６３ｂ  支持脚部、６３ｃ  摺動軸部）
７０  仮支持機構（第３実施例）
７１  ベース部材
（７１ａ  ベース部、７１ｂ  位置決め部、７１ｃ  固定ヒンジ部、
７１ｄ  支持部、７１ｈ  ねじ孔、７１ｐ  位置決め孔、
７１ｑ  固定ヒンジ孔、７１ｒ  支持孔）
７２  遊技盤仮受け部材
（７２ａ  支持ベース部、７２ｃ  揺動ヒンジ部、７２ｄ  支持受け部、
７２ｅ  ローラ支持片部、７２ｑ  揺動ヒンジ孔、７２ｒ  支持受け溝、
７２ｓ  ローラ支持孔）
７３  支持部材（７３ａ  支持バー部、７３ｂ  支持脚部、７３ｃ  揺動軸部）
７４  ローラ部材（７４ａ  軸孔）
７５  枢結ピン
７６  Ｅリング
７７  ローラ枢結ピン
７８  Ｅリング
８０  仮支持機構（第４実施例）
８１  ベース部材
（８１ａ  ベース部、８１ｂ  軸支持部、８１ｈ  ねじ孔、８１ｓ  係止溝）
８２  支軸（８２ａ  雌ネジ部）
８３  遊技盤仮受け部材（８３ａ  支持面部、８３ｂ  逃げ部、８３ｃ  リブ）
８５  サムスクリュー
９０  仮支持機構（第５実施例）
９１  ベース部材
（９１ａ  ベース部、９１ｂ  軸支持部、９１ｐ  位置決め孔、９１ｓ  係止溝）
９２  支軸（９２ａ  雌ネジ部）
９３  遊技盤仮受け部材
（９３ａ  支持面部、９３ｂ  逃げ部、９３ｃ  リブ、９３ｄ  支持受け部）
９４  支柱
９５  ボルト
９６  コイルバネ
９７  ワッシャ
１１２  固定ヒンジ部材
（１１２ａ  ベース部、１１２ｂ  第１支持部、１１２ｃ  第２支持部、１１２ｄ  支軸孔、１１２ｅ  裏セットヒンジピン）
１２２  揺動ヒンジ係合部
（１２２ｆ  被挟持部、１２２ｇ  受容係合口）
１２３  揺動ヒンジ係合部
（１２３ｆ  被挟持部、１２３ｇ  受容係合口）
１４２  揺動ヒンジ部材
（１４２ａ  揺動ベース部、１４２ｂ  アーム部、１４２ｄ  ヒンジ係合孔、１４２ｆ  挟持係合部、１４２ｇ  係合筒）
１４３  揺動ヒンジ部材
（４３ｂ  アーム部、４３ｄ  ヒンジ係合孔、４３ｓ  角度規定部、１４３ｆ  挟持係合部、１４３ｇ  係合筒）
１５０  前枠開放保持機構
１５１  前枠開放保持部材（１５１ａ  揺動端部、１５１ｂ  係合端部）
１５２ａ，１５２ｂ  ワッシャ
１５３ａ，１５３ｂ  ナット
１５５  係合部材（１５５ａ，１５５ｂ  係合部）
１５８  掛支部材
１６０  裏セット盤開放保持機構
１６１  裏セット盤開放保持部材（１６１ａ  基端部、１６１ｂ  係止部）
【図１】
0003933987.tif 000002
【図２】
0003933987.tif 000003
【図３】
0003933987.tif 000004
【図４】
0003933987.tif 000005
【図５】
0003933987.tif 000006
【図６】
0003933987.tif 000007
【図７】
0003933987.tif 000008
【図８】
0003933987.tif 000009
【図９】
0003933987.tif 000010
【図１０】
0003933987.tif 000011
【図１１】
0003933987.tif 000012
【図１２】
0003933987.tif 000013
【図１３】
0003933987.tif 000014
【図１４】
0003933987.tif 000015
【図１５】
0003933987.tif 000016
【図１６】
0003933987.tif 000017
【図１７】
0003933987.tif 000018
【図１８】
0003933987.tif 000019
【図１９】
0003933987.tif 000020
【図２０】
0003933987.tif 000021
【図２１】
0003933987.tif 000022
【図２２】
0003933987.tif 000023
【図２３】
0003933987.tif 000024
【図２４】
0003933987.tif 000025
【図２５】
0003933987.tif 000026
【図２６】
0003933987.tif 000027
【図２７】
0003933987.tif 000028
【図２８】
0003933987.tif 000029
【図２９】
0003933987.tif 000030
【図３０】
0003933987.tif 000031